(57)【要約】【課題】撮影することにより得た画像データに対して、簡単かつ適切に撮影者に関する情報（以下、撮影者情報と言う。）を付加し、これを適切に利用できるようにする。【解決手段】キー操作部２０６を通じて、種々の撮影者の名前などの撮影者に関する撮影者情報を入力して、ＥＥＰＲＯＭ２１４に予め登録する。被写体の画像を撮影した場合に、その画像の画像データＰＤｔとＥＥＰＲＯＭ２１４に予め登録してある撮影者情報ＵＤｔとを含む画像ファイルＰＦを形成し、記録媒体２５０に記録する。記録媒体２５０の画像データは、カメラ本体２００を通じて再生できるようにし、付加された撮影者情報についても再生可能とするが、ＥＥＰＲＯＭに登録された撮影者情報と同じか否かに応じて再生態様を変える。【選択図】図２
2009231888.tif 000002
【特許請求の範囲】
【請求項１】
レンズを通じて結像面に結像するようにされた被写体の画像を、画像信号として取り込むようにする撮像手段と、
前記撮像手段を通じて取り込まれた画像信号から記録用の画像データを生成する信号処理手段と、
使用者からの撮影者情報の入力を受け付ける撮影者情報受付手段と、
前記撮影者情報受付手段を通じて受け付けた前記撮影者情報を記憶保持する撮影者情報記憶手段と、
前記信号処理手段により生成された記録用の前記画像データと前記撮影者情報記憶手段に記憶保持されている撮影者情報とを含む記録用の画像ファイルを生成する生成手段と、
前記生成手段により生成された記録用の前記画像ファイルを記録媒体に記録する記録手段と、
前記記録媒体に記録された画像ファイルの画像データによる画像の再生指示を受け付ける第１の受付手段と、
前記第１の受付手段を通じて画像の前記再生指示を受け付けた場合に、指示された画像の画像データを前記記録媒体から読み出す画像読み出し手段と、
前記画像読み出し手段により読み出された画像データに応じた画像を再生するようにする画像再生手段と、
前記画像再生手段により再生するようにした画像の画像データと共に画像ファイルに記録されている撮影者情報の再生指示を受け付ける第２の受付手段と、
前記第２の受付手段を通じて撮影者情報の前記再生指示を受け付けた場合に、前記画像ファイルから撮影者情報を読み出す撮影者情報読み出し手段と、
前記撮影者情報読み出し手段により読み出された前記撮影者情報を再生するようにする撮影者情報再生手段と、
前記撮影者情報読み出し手段により読み出された前記撮影者情報と前記撮影者情報記憶手段に記憶保持されている撮影者情報とが、同じ撮影者に対するものか否かに応じて、前記撮影者情報再生手段を制御する撮影者情報再生制御手段と
を備える撮像装置。
【請求項２】
請求項１に記載の撮像装置であって、
前記撮影者情報記憶手段は、複数の撮影者情報を記憶保持することができるものであり、
使用者からの選択入力を受け付けて、前記撮影者情報記憶手段に記憶保持されている複数の撮影者情報の中から実際の撮影者の撮影者情報を選択する選択手段を備え、
前記撮影者情報再生制御手段は、前記撮影者情報読み出し手段により読み出された前記撮影者情報と、前記選択手段により選択された撮影者情報とが、同じ撮影者に対するものか否かに応じて、前記撮影者情報再生手段を制御する撮像装置。
【請求項３】
請求項１に記載の撮像装置であって、
前記撮影者情報記憶手段は、複数の撮影者情報を記憶保持することができるものであり、
前記撮影者情報再生制御手段は、前記撮影者情報読み出し手段により読み出された前記撮影者情報と、前記撮影者情報記憶手段に記憶されている撮影者情報の１つとが、同じ撮影者に対するものか否かに応じて、前記撮影者情報再生手段を制御する撮像装置。
【請求項４】
請求項１に記載の撮像装置であって、
前記撮影者情報は、撮影者の名称、プロフィール情報、連絡先名称、電話番号、ファックス番号、ＵＲＬ（Uniform Resource Locators）、電子メールアドレス、使用カメラ情報、撮影者に関する画像情報、撮影者に関するグラフィックス情報の内の１つ以上を含む撮像装置。
【請求項５】
請求項１に記載の撮像装置であって、
前記撮影者情報再生制御手段は、前記撮影者情報読み出し手段から読み出された前記撮影者情報と前記撮影者情報記憶手段に記憶保持されている撮影者情報とが、同じ撮影者に対するものである場合に、再生する撮影者情報を制限する撮像装置。
【請求項６】
請求項１に記載の撮像装置であって、
前記撮影者情報再生制御手段は、前記撮影者情報読み出し手段から読み出された前記撮影者情報と前記撮影者情報記憶手段に記憶保持されている撮影者情報とが同じ撮影者に対するものである場合に、撮影者情報を再生しないように制御する撮像装置。
【請求項７】
請求項４に記載の撮像装置であって、
前記撮影者に関する画像情報は、撮影者情報の入力が可能な撮影者情報入力モードにあるときに、前記撮像手段を通じて取り込んで、前記信号処理手段により生成された撮影画像である撮像装置。
【請求項８】
請求項１に記載の撮像装置であって、
前記レンズは交換型レンズであり、
装着された前記交換型レンズの筐体に搭載されているメモリから、当該交換型レンズに関する情報であるレンズ情報を取得する取得手段を備え、
前記生成手段は、前記取得手段を通じて取得した前記レンズ情報をも含む記録用の画像ファイルを生成することができるものであり、
再生対象とされた前記画像ファイルから前記レンズ情報を読み出すレンズ情報読み出し手段と、
前記レンズ情報読み出し手段により読み出された前記レンズ情報を再生するようにするレンズ情報再生手段と
を備える撮像装置。
【請求項９】
レンズを通じて結像面に結像するようにされた被写体の画像を、画像信号として取り込むようにする撮像手段と、
前記撮像手段を通じて取り込まれた画像信号から記録用の画像データを生成する信号処理手段と、
使用者からの少なくともＵＲＬ（Uniform Resource Locators）を含む撮影者情報の入力を受け付ける撮影者情報受付手段と、
前記撮影者情報受付手段を通じて受け付けた少なくともＵＲＬを含む撮影者情報を記憶保持する撮影者情報記憶手段と、
前記信号処理手段により生成された記録用の前記画像データと前記撮影者情報記憶手段に記憶保持されている少なくともＵＲＬを含む前記撮影者情報とを含む記録用の画像ファイルを生成する生成手段と、
前記生成手段により生成された記録用の前記画像ファイルを記録媒体に記録する記録手段と、
前記記録媒体に記録された画像ファイルの画像データによる画像の再生指示を受け付ける第１の受付手段と、
前記第１の受付手段を通じて画像の前記再生指示を受け付けた場合に、指示された画像の画像データを前記記録媒体から読み出す画像読み出し手段と、
前記画像読み出し手段により読み出された画像データに応じた画像を再生するようにする画像再生手段と、
前記画像再生手段により再生するようにした画像についての撮影者情報の再生指示を受け付ける第２の受付手段と、
前記第２の受付手段を通じて撮影者情報の前記再生指示を受け付けた場合に、前記画像ファイルから撮影者情報としてのＵＲＬを読み出す撮影者情報読み出し手段と、
前記撮影者情報読み出し手段により読み出された前記ＵＲＬに基づいて、目的とするサーバーにアクセスし、撮影者に関する情報をダウンロードするダウンロード手段と、
前記ダウンロード手段によりダウンロードするようにされた前記撮影者に関する情報を再生するようにする撮影者情報再生手段と、
前記撮影者情報読み出し手段により読み出された前記ＵＲＬと前記撮影者情報記憶手段に記憶保持されているＵＲＬとが、同じ撮影者に対するものか否かに応じて、前記撮影者情報再生手段を制御する撮影者情報再生制御手段と
を備える撮像装置。
【請求項１０】
請求項９に記載の撮像装置であって、
前記撮影者情報記憶手段は、少なくともＵＲＬを含む複数の撮影者情報を記憶保持することができるものであり、
使用者からの選択入力を受け付けて、前記撮影者情報記憶手段に記憶保持されている複数の撮影者情報の中から実際の撮影者の撮影者情報を選択する選択手段を備え、
前記撮影者情報再生制御手段は、前記撮影者情報読み出し手段により読み出された前記撮影者情報と、前記選択手段により選択された撮影者情報とが、同じ撮影者に対するものか否かに応じて、前記撮影者情報再生手段を制御する撮像装置。
【請求項１１】
請求項９に記載の撮像装置であって、
前記撮影者情報記憶手段は、複数のＵＲＬを記憶保持することができるものであり、
前記撮影者情報再生制御手段は、前記撮影者情報読み出し手段により読み出された前記撮影者情報と、前記撮影者情報記憶手段に記憶されている撮影者情報の１つとが、同じ撮影者に対するものか否かに応じて、前記撮影者情報再生手段を制御する撮像装置。
【請求項１２】
請求項９に記載の撮像装置であって、
前記撮影者情報再生制御手段は、前記撮影者情報読み出し手段から読み出された前記撮影者情報と前記撮影者情報記憶手段に記憶保持されている撮影者情報とが同じ撮影者に対するものである場合に、再生する撮影者情報を制限する撮像装置。
【請求項１３】
請求項９に記載の撮像装置であって、
前記撮影者情報再生制御手段は、前記撮影者情報読み出し手段から読み出された前記撮影者情報と前記撮影者情報記憶手段に記憶保持されている撮影者情報とが同じ撮影者に対するものである場合に、撮影者情報を再生しないように制御する撮像装置。
【請求項１４】
請求項９に記載の撮像装置であって、
前記レンズは交換型レンズであり、
装着された前記交換型レンズの筐体に搭載されているメモリから、当該交換型レンズに関する情報であるレンズ情報を取得する取得手段を備え、
前記生成手段は、前記取得手段を通じて取得した前記レンズ情報をも含む記録用の画像ファイルを生成することができるものであり、
再生対象とされた前記画像ファイルから前記レンズ情報を読み出すレンズ情報読み出し手段と、
前記レンズ情報読み出し手段により読み出された前記レンズ情報を再生するようにするレンズ情報再生手段と
を備える撮像装置。
【請求項１５】
請求項１または請求項９に記載の撮像装置であって、
前記記録媒体に記録された画像ファイルを所定のサーバーにアップロードすることの指示入力を受け付ける指示入力受付手段と、
前記指示入力受付手段を通じて、前記指示入力を受け付けた場合に、所定のサーバーにアクセスし、当該サーバーに対して前記画像ファイルを送信することにより画像ファイルのアップロードを行うようにするアップロード手段と
を備える撮像装置。
【請求項１６】
画像データと当該画像データにより形成される画像を撮影した撮影者に関する撮影者情報とを有する１つ以上の画像ファイルが記録された記録媒体から、目的とする画像の画像データを読み出して再生する場合に用いる再生方法であって、
撮影者情報受付手段が、使用者からの撮影者情報の入力を受け付ける撮影者情報受付工程と、
前記撮影者情報受付工程において受け付けた前記撮影者情報を、撮影者情報記憶手段に記録する撮影者情報記録工程と、
第１の受付手段が、前記記録媒体に記録された画像ファイルの画像データによる画像の再生指示を受け付ける第１の受付工程と、
前記第１の受付工程において画像の前記再生指示を受け付けた場合に、画像読み出し手段が、指示された画像の画像データを前記記録媒体から読み出す画像読み出し工程と、
前記画像読み出し工程において読み出した画像データに応じた画像を、画像再生手段が再生するようにする画像再生工程と、
第２の受付手段が、前記画像再生工程において再生するようにした画像の画像データと共に画像ファイルに記録されている撮影者情報の再生指示を受け付ける第２の受付工程と、
前記第２の受付工程において撮影者情報の前記再生指示を受け付けた場合に、撮影者情報読み出し手段が、前記画像ファイルから撮影者情報を読み出す撮影者情報読み出し工程と、
撮影者情報再生手段が、前記撮影者情報読み出し工程において読み出した前記撮影者情報を再生するようにする場合に、前記撮影者情報読み出し工程において読み出した前記撮影者情報と前記撮影者情報記憶手段に記憶保持されている撮影者情報とが同じ撮影者に対するものか否かに応じて、前記撮影者情報再生手段を制御する撮影者情報再生制御工程と
を有する再生方法。
【請求項１７】
請求項１６に記載の再生方法であって、
前記撮影者情報記憶手段は、複数の撮影者情報を記憶保持することができるものであり、
選択手段が、使用者からの選択入力を受け付けて、前記撮影者情報記憶手段に記憶保持されている複数の撮影者情報の中から実際の撮影者の撮影者情報を選択する選択工程を有し、
前記撮影者情報再生制御工程においては、前記撮影者情報読み出し工程において読み出した前記撮影者情報と、前記選択工程において選択した撮影者情報とが、同じ撮影者に対するものか否かに応じて、前記撮影者情報再生手段を制御する再生方法。
【請求項１８】
画像データと少なくともＵＲＬを含む撮影者情報とを有する１つ以上の画像ファイルが記録された記録媒体から、目的とする画像の画像データを読み出して再生する場合に用いる再生方法であって、
撮影者情報受付手段が、使用者からの少なくもＵＲＬを含む撮影者情報の入力を受け付ける撮影者情報受付工程と、
前記撮影者情報受付工程において受け付けた前記撮影者情報を、撮影者情報記憶手段に記録する撮影者情報記録工程と、
第１の受付手段が、前記記録媒体に記録された画像ファイルの画像データによる画像の再生指示を受け付ける第１の受付工程と、
前記第１の受付工程において画像の前記再生指示を受け付けた場合に、画像読み出し手段が、指示された画像の画像データを前記記録媒体から読み出す画像読み出し工程と、
前記画像読み出し工程において読み出した画像データに応じた画像を、画像再生手段が再生するようにする画像再生工程と、
第２の受付手段が、前記画像再生工程において再生するようにした画像についての撮影者情報の再生指示を受け付ける第２の受付工程と、
前記第２の受付工程において、撮影者情報の前記再生指示を受け付けた場合に、撮影者情報読み出し手段が、前記画像ファイルからＵＲＬを読み出す撮影者情報読み出し工程と、
前記撮影者情報読み出し工程において読み出した前記ＵＲＬに基づいて、ダウンロード手段が、目的とするサーバーにアクセスし、撮影者情報をダウンロードするダウンロード工程と、
撮影者情報再生手段が、前記ダウンロード工程においてダウンロードした前記撮影者情報を再生するようにする場合に、前記撮影者情報読み出し工程において読み出した前記ＵＲＬを含む撮影者情報と前記撮影者情報記憶手段に記憶保持されている撮影者情報とが同じ撮影者に対するものか否かに応じて、前記撮影者情報再生手段を制御する撮影者情報再生制御工程と
を有する再生方法。
【請求項１９】
請求項１８に記載の再生方法であって、
前記撮影者情報記憶手段は、少なくともＵＲＬを含む複数の撮影者情報を記憶保持することができるものであり、
選択手段が、使用者からの選択入力を受け付けて、前記撮影者情報記憶手段に記憶保持されている複数の撮影者情報の中から実際の撮影者の撮影者情報を選択する選択工程を有し、
前記撮影者情報再生制御工程においては、前記撮影者情報読み出し工程において読み出した前記ＵＲＬを含む撮影者情報と、前記選択工程において選択した撮影者情報とが、同じ撮影者に対するものか否かに応じて、前記撮影者情報再生手段を制御する再生方法。
【請求項２０】
撮影することにより得られた画像の画像データと当該画像の撮影者に関する撮影者情報とを有する１つ以上の画像ファイルがアップロードされるサーバー装置において実行される情報開示プログラムであって、
受信した画像ファイルについて、画像データと撮影者情報とを分離する分離ステップと、
前記分離ステップにおいて分離した画像データと撮影者情報とを、種々の情報処理装置を通じて閲覧可能なように展開して構成しなおす情報構成ステップと、
前記情報構成ステップにおいて構成した情報を、ダウンロード可能な情報として所定のメモリに記録することにより開示する記録ステップと
を前記サーバー装置のコンピュータが実行する情報開示プログラム。
【請求項２１】
請求項２０に記載の情報開示プログラムであって、
前記レンズ情報にＵＲＬ（Uniform Resource Locators）を含む場合には、前記情報構成ステップにおいて、当該ＵＲＬによって示される情報を利用者が容易に取得可能なように、当該ＵＲＬが示す情報への接続手段を作成する情報開示プログラム。
【発明の詳細な説明】
【技術分野】
【０００１】
この発明は、例えば、デジタルスチルカメラやデジタルビデオカメラなどの撮像装置、当該撮像装置や画像データを再生する再生装置で用いられる再生方法、当該撮像装置等から画像ファイルがアップロードされるサーバー装置において実行されるプログラムに関する。
【背景技術】
【０００２】
デジタルスチルカメラやデジタルビデオカメラなどの撮像装置や、これらを通じて撮影することにより得たデジタル画像データを処理するパーソナルコンピュータなどが広く普及し、高画質の静止画像や動画像を気軽に撮影して利用することができるようになってきている。そして、デジタルスチルカメラなどにより撮影することにより得たデジタル画像データの利用範囲を広げたり、また、適切に管理できるようにしたりするなどのために、種々の技術が考えられている。
【０００３】
例えば、後に記す特許文献１には、撮影したサイズの大きな画像データを大勢の相手に容易に配布できるようにすることを目的として、撮影することにより得た画像データにより形成される画像と、当該画像を形成する画像データを配布するために予め登録されているＵＲＬを示す２次元バーコードとを一緒に表示する技術が開示されている。これにより、表示さされた当該２次元バーコードをデジタルカメラやカメラ付き携帯情報端末で撮影することにより目的とするサーバー装置にアクセスして、目的とする画像データを簡単にダウンロードすることができるようにされる。
【０００４】
また、後に記す特許文献２には、配布された画像データによる画像が、誰から配布されたものであるかを確実かつ容易に特定できるようにするために、撮影者の顔写真を撮影し、これを配布対象の画像データに合成しておく技術が開示されている。これにより、配布された画像データによる画像を再生するようにした場合には、その撮影者の顔写真も表示されるので、配布先を確実に認識することができるようにさえる。
【０００５】
また、後に記す特許文献３には、１台のデジタルスチルカメラを家族で共用する場合などにおいて、撮影することにより得て、記録媒体に記録されている画像データに対して、例えば、「お父さん」、「お母さん」などのように撮影者を示す情報を付加できるようにしたデジタルカメラに関する発明が開示されている。
【０００６】
また、後に記す特許文献４には、撮影することにより得た画像データが種々転送される可能性があることを考慮し、画像データに対して、撮影者や転送者が記録される撮影者／転送者履歴テーブルを付加しておき、これに撮影者や転送者を更新していくようにする技術が開示されている。これにより、自分が取得した画像データが誰によって撮影され、どのような経路を辿って提供されたものかを把握することができるようにされる。
【０００７】
また、後に記す特許文献５には、被写体の画像を形成する画像データと、撮影者の画像を形成する画像データとの両方を得て、これらを関連付けて管理できるようにする技術が開示されている。この技術を用いることにより、被写体の画像をいちいち確認しなくても、撮影することにより得た目的とする被写体の画像データは、誰によって撮影されたものかを視覚を通じて認識することができるようにされる。
【０００８】
このように、撮影することにより得た画像データに対して、撮影者情報を付加することにより、画像データの利用範囲を広げたり、また、適切に管理できるようにしたりするなどのことができるようになってきている。
【０００９】
なお、上述した特許文献１〜５は、以下に示す通りである。
【特許文献１】特開２００６−０８６８５８号公報
【特許文献２】特開２００６−１６６４０９号公報
【特許文献３】特開２００６−２１１１３８号公報
【特許文献４】特開２００７−２４３６２５号公報
【特許文献５】特開２００７−１１０２６１号公報
【発明の開示】
【発明が解決しようとする課題】
【００１０】
ところで、上述した特許文献１〜５のそれぞれに記載された技術は、撮影することにより得た画像データを簡単に配布できるようにしたり、撮影者や配布履歴を正確に把握できるようにしたりするために、画像データと撮影者情報とを対応付けるようにしたものである。
【００１１】
しかしなから、各個人が撮影することにより得た画像データは、ごく限られた友人や知人との間でやり取りしたり、家庭内において利用したりするだけではない。いわゆる写真は、撮影者の思想を反映したものであり、著作物としての価値があり、インターネットなどの広域ネットワークを通じて不特定多数の人に公開するようにしたい場合もある。
【００１２】
このため、撮影することにより得た画像データに対して配布や管理のために半ばインデック情報として便宜的に撮影者情報を付加するのではなく、画像データを広く公開する場合に役立つように、しかも簡単に、撮影者情報を付加するようにしたいとする要求がある。
【００１３】
すなわち、撮影することにより得た画像データにより形成される画像を著作物としてインターネットなどの広域ネットワークを通じて公開することをも考慮して、当該画像データに対し撮影者に関する種々の情報を適切に付加できるようにすること、及び、画像データに対して付加するようにした撮影者に関する情報を撮影者自身をも含めて適切に利用できるようにすることが求められている。
【００１４】
以上のことに鑑み、この発明は、撮影することにより得た画像データに対して、簡単かつ適切に撮影者に関する情報（以下、撮影者情報と言う。）を付加し、これを適切に利用できるようにすることを目的とする。
【課題を解決するための手段】
【００１５】
上記課題を解決するため、請求項１に記載の発明の撮像装置は、
レンズを通じて結像面に結像するようにされた被写体の画像を、画像信号として取り込むようにする撮像手段と、
前記撮像手段を通じて取り込まれた画像信号から記録用の画像データを生成する信号処理手段と、
使用者からの撮影者情報の入力を受け付ける撮影者情報受付手段と、
前記撮影者情報受付手段を通じて受け付けた前記撮影者情報を記憶保持する撮影者情報記憶手段と、
前記信号処理手段により生成された記録用の前記画像データと前記撮影者情報記憶手段に記憶保持されている撮影者情報とを含む記録用の画像ファイルを生成する生成手段と、
前記生成手段により生成された記録用の前記画像ファイルを記録媒体に記録する記録手段と、
前記記録媒体に記録された画像ファイルの画像データによる画像の再生指示を受け付ける第１の受付手段と、
前記第１の受付手段を通じて画像の前記再生指示を受け付けた場合に、指示された画像の画像データを前記記録媒体から読み出す画像読み出し手段と、
前記画像読み出し手段により読み出された画像データに応じた画像を再生するようにする画像再生手段と、
前記画像再生手段により再生するようにした画像の画像データと共に画像ファイルに記録されている撮影者情報の再生指示を受け付ける第２の受付手段と、
前記第２の受付手段を通じて撮影者情報の前記再生指示を受け付けた場合に、前記画像ファイルから撮影者情報を読み出す撮影者情報読み出し手段と、
前記撮影者情報読み出し手段により読み出された前記撮影者情報を再生するようにする撮影者情報再生手段と、
前記撮影者情報読み出し手段により読み出された前記撮影者情報と前記撮影者情報記憶手段に記憶保持されている撮影者情報とが、同じ撮影者に対するものか否かに応じて、前記撮影者情報再生手段を制御する撮影者情報再生制御手段と
を備えるものである。
【００１６】
この請求項１に記載の発明の撮像装置によれば、撮影者情報受付手段を通じて受け付けた使用者からの撮影者情報は、撮影者情報記憶手段に記憶保持される。すなわち、撮影者情報が事前に撮影者情報記憶手段に記憶保持するようにされる。そして、被写体の撮影が行われると、撮像手段を通じて取り込まれた被写体の画像を形成する画像信号から、信号処理手段により記録用の画像データが生成され、生成手段により、記録用の画像データと撮影者記憶手段に記憶保持されている撮影者情報とを含む記録用の画像ファイルが生成され、これが記録手段により記録媒体に記録される。
【００１７】
このようにして記録媒体に記録された画像ファイルの画像データについては、第１の受付手段を通じて再生指示を受け付けると、指示された画像データが画像読み出し手段によって読み出されて、これが画像再生手段によって再生することができるようにされる。
【００１８】
一方、再生するようにされた画像データと共に画像ファイルに含まれる撮影者情報については、第２の受付手段を通じて再生指示を受け付けると、当該撮影者情報が再生対象の画像データが読み出された画像ファイルから撮影者情報読み出し手段により読み出され、撮影者情報再生手段によって再生するようにされる。
【００１９】
そして、撮影者情報の再生に当たっては、画像ファイルから読み出された撮影者情報と、撮影者情報記憶手段に記憶保持されている撮影者情報とが同じか否かに応じて、撮影者情報再生制御手段により、撮影者情報再生手段が制御される。
【００２０】
例えば、画像ファイルから読み出された撮影者情報と、撮影者情報記憶手段に記憶保持されている撮影者情報とが同じである場合には、再生されている画像を撮影した撮影者と、当該撮像装置を利用している撮影者が同じであることを意味する。この場合、撮影者情報の詳細を表示する必要性は低いので、撮影者情報の一部あるいは全部を表示しないようにするなどのことができるようにされる。
【００２１】
これにより、撮影することにより得た画像データに対して、簡単かつ適切に撮影者情報を付加することができるようにされると共に、画像データに対して付加するようにした撮影者情報を適切に利用することができるようにされる。
【発明の効果】
【００２２】
撮影することにより得た画像データに対して、簡単かつ適切に撮影者情報を付加することができる。また、画像データに対して付加されている撮影者情報を、当該撮影者情報を受けるべき使用者に対して適切に提供することができる。
【発明を実施するための最良の形態】
【００２３】
以下、図を参照しながら、この発明の一実施の形態について説明する。以下においては、この発明による撮像装置、再生方法の一実施の形態を説明すると共に、画像ファイルがアップロードされるサーバー装置において実行されるこの発明による情報開示プログラムの一実施の形態についても説明する。
【００２４】
以下に説明するいずれの発明も、撮像することにより得た被写体の画像を形成する画像データと、当該画像を撮影したときの撮影者情報とを共に画像ファイルに記録し、あるいは、画像データと撮影者情報とが共に記録された画像ファイルを利用する点で共通する技術的特徴を有するものである。
【００２５】
［撮像装置の構成例について］
図１は、この発明による撮像装置、再生方法の一実施の形態が適用された撮像装置について説明するためのブロック図である。図１に示すように、この実施の形態の撮像装置は、交換型レンズ１００と、カメラ本体２００とからなるものである。
【００２６】
交換型レンズ１００は、例えば、ズームレンズ、単焦点レンズ、広角レンズなど、用途に応じた種々の交換型レンズが提供されており、カメラ本体２００のユーザーは、目的に合わせて適宜の交換型レンズを選択し、カメラ本体２００に装着して利用することができる。すなわち、この実施の形態のカメラ本体２００は、種々の交換型レンズを装着することができるものである。なお、以下に説明する実施の形態において、交換型レンズ１００は、特定の交換型レンズを示すものではなく、種々の交換型レンズを総称するものとして用いている。
【００２７】
そして、交換型レンズ１００には、図１に示すように、レンズ筐体内部にレンズ情報メモリ１０１が内蔵されており、詳しくは後述するが当該メモリ１０１には、当該交換型レンズに関する種々の情報が記憶保持されており、これをカメラ本体２００が取得することにより、カメラ本体２００から交換型レンズ１００を制御したりする場合に用いることなどができるようにされている。
【００２８】
カメラ本体２００は、図１に示すように、撮像素子部２０１、信号処理部２０２、表示部２０３、記録再生部２０４、再生処理部２０５、キー操作部２０６、通信インターフェース（以下、通信Ｉ／Ｆという。）２０７、制御部２１０を備えた、いわゆるデジタルカメラの構成を有するものである。
【００２９】
制御部２１０は、カメラ本体２００を制御することができるとともに、カメラ本体２００に装着された交換型レンズ１００を制御することができるものであり、図１に示すように、ＣＰＵ（Central Processing Unit）２１１、ＲＯＭ（Read Only Memory）２１２、ＲＡＭ（Random Access Memory）２１３、ＥＥＰＲＯＭ（Electrically Erasable and Programmable ROM）２１４が、ＣＰＵバス２１５を通じて接続されて構成されたマイクロコンピュータである。
【００３０】
ここで、ＣＰＵ２１１は、後述するＲＯＭ２１２に記憶保持されているプログラムを読み出して実行し、各部に供給するための制御信号を形成し、これを各部に供給したり、各部から供給されるデータを受け付けてこれを処理したりするなど、この実施の形態の撮像装置の制御の主体となるものである。
【００３１】
ＲＯＭ２１２は、上述したように、ＣＰＵ２１１によって実行される各種のプログラムや処理に必要になる各種のデータなどが予め記憶されたものである。ＲＡＭ２１３は、種々の処理において、その途中結果を一時記憶するなど、主に作業領域として用いられるものである。また、ＥＥＰＲＯＭ２１４は、いわゆる不揮発性メモリであり、カメラ本体２００の電源が落とされても保持しておくべき情報、例えば、ユーザーが設定するようにした種々のパラメータや機能追加等のために新たに提供されたプログラムなどを記憶保持するものである。
【００３２】
撮像素子部２０１は、ＣＣＤ（Charge Coupled Device）やＣＭＯＳ（Complementary Metal oxide Semiconductor）イメージセンサなどの撮像素子を備え、制御部２１０からの制御に応じて、交換型レンズ１００を通じて取り込まれ、撮像素子の結像部に結像した画像を電気信号（画像信号）として取り込み、これを信号処理部２０２に供給するものである。
【００３３】
信号処理部２０２は、制御部２１０の制御に応じて、撮像素子部２０１からの画像信号をデジタル信号に変換し、ホワイトバランス処理やノイズリダクション処理、種々の補正処理を行うと共に、撮像素子部２０１が１枚の撮像素子からなるいわゆる単板の撮像素子部の場合には、モザイク処理（同時化処理）などを行って、三原色信号（ＲＧＢ信号）を形成する。そして、信号処理部２０２は、最終的には、形成したＲＧＢ信号をＹＣ変換（輝度色変換）して、Ｙ信号（輝度信号）と、Ｃｂ、Ｃｒ信号（色信号）とからなるＹＣ信号（ＹＣデータ）を形成し、これを表示部２０３と記録再生部２０４とに供給する。
【００３４】
表示部２０３は、例えば、ＬＣＤ（Liquid Crystal Display）と、ＬＣＤコントローラとからなるものであり、制御部２１０の制御に応じて、信号処理部２０２からのＹＣデータからＬＣＤに供給して画像を表示するための表示用の画像信号を形成し、これをＬＣＤに供給することにより、交換レンズ１００を通じて取り込んだ被写体の画像をＬＣＤの表示画面に表示する。
【００３５】
これにより、ユーザーは、表示部２０３のＬＣＤの表示画面に表示される画像により、どのような画像が交換レンズ部１００を通じてカメラ本体２００に取り込まれるようにされているかを確認しながら撮影することができるようにしている。なお、上述したように、表示部２０３は、表示素子としてＬＣＤを用いるものとして説明したが、有機ＥＬ（Electroluminescence）ディスプレイ、ＰＤＰ（Plasma Display Panel）、ＣＲＴ（Cathode-Ray Tube）等の種々の表示素子を用いるようにすることもできる。その場合に、表示素子のコントローラとしては、用いる表示素子に応じたものが用いられるようにされる。
【００３６】
記録再生部２０４は、記録媒体２５０が着脱可能にされていると共に、この装着された記録媒体２０４に対して画像データを書き込んだり、記録媒体２５０に記録されている画像データを読み出したりする機能を備えた記録媒体ドライブを備えたものである。ここで、記録媒体２５０は、例えば、半導体メモリを用いたいわゆるカードメモリや、ＣＤ（Compact Disc）やＤＶＤ（Digital Versatile Disc）などの光ディスク、ＭＤ（登録商標）と呼ばれる小型の光磁気ディスク、着脱可能な構成とされた小型のハードディスクなど種々のものが考えられるが、この実施の形態において、記録媒体２５０は、例えば、カードメモリが用いられるものとして説明する。
【００３７】
そして、記録再生部２０４は、後述するキー操作部２０６に設けられているシャッターキーが押下されたタイミングにおいて、制御部２１０の制御に応じて、撮像素子部２０１、信号処理部２０２を通じて取り込まれた被写体の画像データ（ＹＣデータ）の供給を受けて、これをデータ圧縮するなどの処理を行って記録用の画像データに変換し、これを自機に装着されたカードメモリである記録媒体２５０に記録する。これにより、ユーザーは目的とする被写体の画像を、交換型レンズ１００を通じてカメラ本体２００に取り込んで、これをデジタルデータにして記録媒体２５０に記録することができるようにされる。
【００３８】
また、記録再生部２０４は、制御部２１０を通じて、記録媒体２５０に記録されている画像データを再生することに制御信号の供給を受けたときには、指示された画像の画像データを読み出し、これを伸張処理してデータ圧縮前の画像データに復元し、これを再生処理部２０５に供給する。
【００３９】
再生処理部２０５は、制御部２１０の制御に応じて、記録再生部２０４からの画像データについて、例えば、サイズ調整などの処理を施して、表示部２０３に供給する形式の画像データを形成し、これを表示部２０３に供給する。これによりユーザーは、記録媒体２５０に記録されている画像データに応じた画像を、カメラ本体２００の表示部２０３のＬＣＤの表示画面に表示して見ることができるようにされる。
【００４０】
また、キー操作部２０６には、上述したシャッターキーや、種々の調整キーや調整ダイアル、あるいは、種々の設定キーなどからなるものであり、ユーザーからの操作入力を受け付けて、これを電気信号に変換し、制御部２１０に供給することができるものである。これにより、制御部２１０は、ユーザーからの操作入力に応じて各部を制御し、ユーザーの指示に応じた処理を行うことができるようにしている。
【００４１】
また、通信Ｉ／Ｆ部２０７は、例えば、ＵＳＢ（Universal Serial Bus）規格のデジタルインターフェース部である。この通信Ｉ／Ｆ部２０７を通じて、パーソナルコンピュータにカメラ本体２００を接続し、記録再生部２０４に装着されている記録媒体２５０に記録されている画像データを、制御部２１０及び通信Ｉ／Ｆ部２０７を通じてパーソナルコンピュータに供給してバックアップするようにしたり、逆にパーソナルコンピュータからの画像データなどの種々のデータの供給を受けて、これを通信Ｉ／Ｆ部２０７、制御部２１０を通じて受け付けて、記録再生部２０４に装着されている記録媒体２５０に記録したりすることもできるようにされている。
【００４２】
そして、この実施の形態の撮像装置は、上述したように、カメラ本体２００に装着された交換型レンズ１００を通じて捉えられた被写体の画像を、撮像素子部２０１、信号処理部２０２を通じて取り込んで、表示部２０３のＬＣＤの表示画面でその画像を確認しながら撮影を行い、撮影するようにした画像の画像データを記録再生部２０４に装着された記録媒体２５０に記録することができるものである。また、記録再生部２０４に装着された記録媒体２５０に記録されている画像データについては、制御部２１０、記録再生部２０４、再生処理部２０５、表示部２０３が協働して、再生処理し、再生画像を表示部２０３のＬＣＤの表示画面に表示することができるものである。
【００４３】
さらに、この実施の形態の撮像装置の場合には、キー操作部２０６を通じて撮影者に関する種々の情報からなる撮影者情報の入力を受け付け、これをＥＥＰＲＯＭ２１４の撮影者情報格納領域に予め格納するようにしておく。そして、画像の撮影を行った場合に、被写体の画像を形成する画像データとＥＥＰＲＯＭ２１４に予め格納されている撮影者情報とを含む記録用の画像ファイルを形成し、これを記録媒体２５０に記録することができるようにしている。
【００４４】
すなわち、この実施の形態の撮像装置は、撮影することにより得た画像データに対して、当該撮影を行った撮影者についての撮影者情報を付加して、記録媒体に記録することができるようにしている。そして、記録媒体２５０に記録された画像データを再生する場合には、ユーザーからの指示に応じて、当該画像データに付加するようにされている撮影者情報をも表示することもできるようにしている。
【００４５】
図２は、この実施の形態の撮像装置の機能について説明するためのブロック図である。図２に示すように、カメラ本体２００は、キー操作部２０６を備えている。このキー操作部２０６を通じて撮影者に関する種々の情報からなる撮影者情報を受け付けて、本体部のＥＥＰＲＯＭ２１４に格納することができるようにしている。ここで本体部は、カメラ本体２００の内、キー操作部２０６を除いた部分を意味している。
【００４６】
カメラ本体２００は、交換型レンズ１００を通じて被写体の画像を取り込み、この取り込んだ被写体の画像を画像データＰＤｔに変換する。そして、カメラ本体２００は、当該画像データＰＤｔに対して、ＥＥＰＲＯＭ２１４に予め設定されている撮影者情報ＵＤｔを付加した（付随させた）画像ファイルＰＦを形成し、当該画像ファイルＰＦをカメラ本体２００の記録再生部２０４に装着された記録媒体２５０に対して記録する。
【００４７】
また、カメラ本体２００は、記録再生部２０４に装着されている記録媒体２５０に記録されている画像ファイルＰＦの画像データＰＤｔや撮影者情報ＵＤｔを読み出し、画像データＰＤｔに応じた画像を表示部２０３のＬＣＤの表示画面に表示したり、撮影者情報ＵＤｔに応じた種々の情報を表示部２０３のＬＣＤの表示画面に表示したりすることができるようにしている。
【００４８】
なお、この実施の形態の撮像装置の場合、例えば、家族により共用される場合や会社などにおいて複数人によって共用される場合があることも考慮し、ＥＥＰＲＯＭ２１４に対して複数の撮影者情報を予め登録しておき、当該カメラ本体２００の使用時において（例えば、電源投入時において）、撮影を行う撮影者の撮影者情報を特定可能なように、実際の撮影者を設定することができるようにしている。
【００４９】
また、この実施の形態の撮像装置の場合、カメラ本体２００は、自機に装着される交換型レンズ１００の筐体内に内蔵されているレンズ情報メモリからレンズ情報を読み出して取得し、これを撮影することにより得た画像データに対して、撮影者情報と同様にして付加し、レンズ情報をも付加した画像ファイルを形成して、これを記録媒体２５０に記録することもできるようにしている。
【００５０】
なお、図２においては、説明を簡単にするため、記録媒体２５０内に１つの画像ファイルＰＦしか示していない。しかし、記録媒体２５０は、通常、数百メガバイトから数ギガバイトの記憶容量を有するものであり、多数の画像ファイルを記録することができるようにされたものである。
【００５１】
［撮影者情報の具体例について］
次に、上述したように、カメラ本体２００のＥＥＰＲＯＭ２１４に対して、キー操作部２０６を通じて予め登録するようにされる撮影者情報の具体例について説明する。図３は、ＥＥＰＲＯＭ２１４に登録される撮影者情報の具体例を説明するための図である。図３において、１番目の撮影者情報、２番目の撮影者情報が示すように、ＥＥＰＲＯＭ２１４の撮影者情報格納領域２１４Ｕには、複数の撮影者の撮影者情報を登録することができるようにされている。
【００５２】
そして、各撮影者情報は、図３に示すように、「識別ＩＤ」、「名前等」、「連絡先名称」、「電話番号」、「ＦＡＸ番号」、「ＵＲＬ」、「電子メールアドレス」、「プロフィール情報」、「使用カメラ情報等」、「撮影者顔写真データ」からなっている。
【００５３】
「識別ＩＤ」の欄には、各撮影者情報を識別可能にする情報、例えば、登録順に応じたシーケンス番号や使用者によって入力された番号や文字などが入力される。この実施の形態の撮像装置において、「識別ＩＤ」の欄には、例えば、登録順に応じたシーケンス番号が入力される。
【００５４】
「名前等」の欄には、撮影者の名前、通称、ニックネーム、ペンネームなどが入力される。「連絡先名称」の欄には、連絡先の名称が入力される。具体的には、例えば、撮影者が何らかの団体に属しており、その団体が連絡先になる場合には、その団体名が入力される。
【００５５】
また、「電話番号」の欄には、連絡先の電話番号が、また、「ＦＡＸ番号」の欄には、連絡先のＦＡＸ番号が入力される。また、「ＵＲＬ」の欄には、当該撮影者に関する情報を開示しているサーバー装置の所在を示すＵＲＬが入力される。このＵＲＬを用いることにより、目的とするサーバー装置にアクセスし、必要な情報を閲覧したり、ダウンロードしたりすることができるようにされる。
【００５６】
また、「電子メールアドレス」の欄には、当該撮影者の電子メールアドレスが入力される。また、「プロフィール情報」の欄には、当該撮影者の経歴情報が、例えば数百文字程度入力することができるようにされる。また、「使用カメラ情報等」の欄には、当該撮影者が使用しているカメラ本体や交換型レンズについての情報が入力される。
【００５７】
また、「撮影者顔写真データ」の欄には、後述もするが、撮影者情報の入力が可能なモードにあるときに、この実施の形態の撮像装置を用いて撮影するようにした撮影者の顔写真の画像データが入力される。なお、基本的に撮影者の顔写真が用いられることを前提としているが、顔写真だけなく、撮影することにより得た種々の画像データを用いることもできる。
【００５８】
このように、撮影者情報は、種々の情報からなるものであるが、必ずしも全情報を入力する必要は無い。この例の場合、「識別ＩＤ」は登録時に自動的に付与されるシーケンス番号であるので、少なくとも、「名前等」の欄に情報が入力されていれば、撮影者情報として成立する。
【００５９】
その他の連絡先名称、電話番号、ＦＡＸ番号、ＵＲＬ、電子メールアドレス、プロフィール情報、使用カメラ情報等、撮影者顔写真データの各情報も、公開可能な範囲で入力すればよいようにされている。したがって、識別ＩＤと、名前と、ＵＲＬと、簡単なプロフィール情報とにより撮影者情報を構成するなどのように、撮影者が公開可能な範囲の情報により撮影者情報が構成される。なお、図３に示した撮影者情報は一例であり、この他の種々の情報を盛り込むようにすることも可能である。
【００６０】
そして、図３に示したように、複数の撮影者についての複数の撮影者情報を登録しておくようにすることができるので、実際に誰が撮影者であるのかを特定するために、ＥＥＰＲＯＭ２１４の撮影者設定領域に、実際の撮影者の撮影者情報を特定可能な「識別ＩＤ」が設定するようにされる。これにより、当該撮像装置のカメラ本体２００を、複数のユーザーで共用するようにした場合であっても、実際の撮影者は誰かを正確に把握し、その撮影者情報をも特定することができるようにしている。
【００６１】
そして、上述もしたように、被写体の画像が撮影するようにされると、撮影することにより得られる画像データに対して、図３に示したように予め登録される撮影者情報の内、実際に撮影を行った撮影者の撮影者情報を付加するようにした画像ファイルを形成し、これを記録媒体２５０に記録するようにしている。
【００６２】
［画像ファイルの具体例について］
次に、カメラ本体２００の記録再生部２０４に装着される記録媒体２５０に記録される画像ファイルの具体例について説明する。図４は、記録媒体２５０に記録される画像ファイルの具体例を説明するための図である。この実施の形態のカメラ本体２００は、静止画撮影モードと動画撮影モードとを備えており、静止画と動画とのいずれを撮影することができるようにされたものである。
【００６３】
そして、静止画撮影モードが用いられて被写体の画像の撮影が行われた場合には、図４において静止画ファイルＳＰ１が示すように、ファイル名、ヘッダ情報、撮影者情報、静止画データからなる画像ファイルが形成されて、これが記録媒体２５０に記録される。ここで、ファイル名は、当該静止画ファイルＳＰ１を識別するために、制御部２１０の制御により自動的に付与されるものである。ヘッダ情報は、図示しないが、カメラ本体２００に内蔵された時計回路から取得する撮影年月日、撮影時刻などの情報や、制御部２１０が管理するようにしているフォーカスや焦点距離などの撮影条件に関する情報などからなるものである。
【００６４】
そして、撮影者情報が、上述もしたように、ＥＥＰＲＯＭ２１４に予め登録されている撮影者情報であって、制御部２１０によって読み出された撮影者情報であり、これが撮影時において記録再生部２０４に供給されて、図４に示したように、静止画ファイルＳＰ１に付加されたものである。
【００６５】
この撮影者情報には、図３を用いて説明したように、撮影者情報を特定可能な撮影者情報についての「識別ＩＤ」を有すると共に、以下、撮影者に関する情報として、「名前等」、「連絡先名称」、「電話番号」、「ＦＡＸ番号」、「ＵＲＬ」、「電子メールアドレス」、「プロフィール情報」、「使用カメラ情報等」、「撮影者顔写真データ」等の情報が含まれる。
【００６６】
そして、撮影することにより得られた静止画データがメイン情報として、当該静止画ファイルＳＰ１に格納するようにされる。静止画撮影モードが用いられた場合には、図４の静止画ファイルＳＰ１に示した構成の静止画ファイルが形成されて、記録媒体２５０に順次に記録されることになる。
【００６７】
また、動画撮影モードが用いられて被写体の画像の撮影が行われた場合にも、基本的には、図４に示した静止画ファイルＳＰ１と同様の構成を有する動画ファイルが形成されて記録される。すなわち、動画撮影モードが用いられて被写体の画像の撮影が行われた場合には、例えば、図４において動画ファイルＭＰ１が示すように、ファイル名、ヘッダ情報、撮影者情報、動画データからなる画像ファイルが形成されて、これが記録媒体２５０に記録される。
【００６８】
ファイル名は、当該動画ファイルＭＰ１を識別するために、制御部２１０の制御により自動的に付与されるものである。ヘッダ情報は、上述もしたように、カメラ本体２００に内蔵された時計回路から取得する撮影年月日、撮影時刻などの情報や、制御部２１０が管理するようにしているフォーカスや焦点距離などの撮影条件に関する情報などからなるものである。
【００６９】
そして、撮影者情報が、上述もしたように、ＥＥＰＲＯＭ２１４に予め登録されている撮影者情報であって、制御部２１０によって読み出された撮影者情報であり、これが撮影時において記録再生部２０４に供給されて、図４に示したように、動画ファイルＭＰ１に付加されたものである。
【００７０】
この撮影者情報には、図３を用いて説明したように、撮影者情報を特定可能な撮影者情報についての「識別ＩＤ」を有すると共に、以下、撮影者に関する情報として、「名前等」、「連絡先名称」、「電話番号」、「ＦＡＸ番号」、「ＵＲＬ」、「電子メールアドレス」、「プロフィール情報」、「使用カメラ情報等」、「撮影者顔写真データ」等の情報が含まれる。
【００７１】
そして、撮影することにより得られた動画データがメイン情報として、当該動画ファイルＭＰ１に格納するようにされる。動画撮影モードが用いられた場合には、図４の動画ファイルＭＰ１に示した構成の動画ファイルが、記録媒体２５０に順次に記録するようにされる。
【００７２】
［画像ファイルの再生態様について］
次に、上述したように、撮影者の撮影者情報が付加するようにされる画像ファイルの再生態様について、その具体例を示しながら説明する。以下においては、静止画像の画像ファイルを再生する場合を例にして説明する。図５〜図１１は、画像ファイルの情報の再生態様の具体例を説明するための図である。
【００７３】
撮影が終了し、記録再生部２０４に装着されている記録媒体２５０に記録された画像ファイルの画像データを再生しようとする場合には、キー操作部２０６を操作して再生モードにする。再生モードにすると、制御部２１０は、記録再生部２０４、再生処理部２０５を制御して、記録媒体２５０に記録されている画像ファイルの画像データによるサムネイル画像を形成し、当該サムネイル画像の一覧表示を行い、目的とする選択入力を受け付けるようにする。
【００７４】
なお、記録媒体２５０に複数の画像ファイルが記録されており、１画面に全ての画像ファイルの画像データに応じたサムネイル画像を表示しきれない場合には、複数の画面に渡ってサムネイル画像を表示することもできるようにされる。すなわち、サムネイル画像のスクロール表示もできるようにされる。
【００７５】
そして、ユーザーは、カメラ本体のキー操作部２０６に設けられている左矢印キー、右矢印キー、上矢印キー、下矢印キーなどを用いて、目的とする画像のサムネイルにカーソルを位置付け、決定キーを押下操作すると、制御部２１０は、記録再生部２０４を制御し、選択された画像の画像ファイルから画像データを読み出し、これを圧縮解凍処理した後に、再生処理部２０５に供給する。
【００７６】
再生処理部２０５は、これに供給された画像データから表示部２０３に供給する画像データを形成し、これを表示部２０３に供給する。そして、表示部２０３は、再生処理部２０５からの画像データから自己のＬＣＤに供給する表示用の画像信号を形成し、これをＬＣＤに供給する。これにより、表示部２０３のＬＣＤの表示画面２０３Ｇには、図５に示すように、ユーザーによって指示された撮影画像が表示される。なお、図５に示した例の表示された撮影画像は山の画像である。
【００７７】
そして、図５のように目的とする画像が、表示部２０３のＬＣＤの表示画面２０３Ｇに表示された状態にあるときに、キー操作部２０６に設けられたメニューキーを押下操作すると、制御部２１０は、図６に示すように、現時点において実行可能な機能を選択可能な項目とする通常のメニューＭＮを形成し、これを再生処理部２０５を通じて表示部２０３に供給する。
【００７８】
これにより、表示部２０３のＬＣＤの表示画面２０３Ｇには、図６に示すように、ユーザーによって指示された撮影画像に、メニューＭＮが重ねて表示するようにされ、メニューＭＮの項目の選択ができるようにされる。なお、図６において、表示画面２０３Ｇの右上端部に表示されている「戻る」アイコンＢＫを選択することにより、メニューＭＮを消去し、図５に示した撮影画像の表示のみの状態に戻ることができるようにされる。
【００７９】
図６に示した状態にあるときに、キー操作部２０６に設けられている下矢印キーを操作し、「撮影者情報」の項目にカーソルを位置付けて決定キーを押下操作すると、制御部２１０は、図７に示すように、「撮影者情報」のうちの表示可能な情報を選択可能な項目とする撮影者情報メニューＵＭＮを形成し、これを再生処理部２０５を通じて表示部２０３に供給する。
【００８０】
これにより、表示部２０３のＬＣＤの表示画面２０３Ｇには、図７に示すように、メニューＭＮに代えて、ユーザーによって指示された撮影画像に、撮影者情報メニューＵＭＮが重ねて表示するようにされ、撮影者情報メニューＵＭＮの項目の選択ができるようにされる。なお、図７において、表示画面２０３Ｇの右上端部に表示されている「戻る」アイコンＢＫを選択することにより、撮影者情報メニューＵＭＮに代えて、メニューＭＮを表示するようにして、図６に示したメニューＭＮが表示された状態に戻ることができるようにされる。
【００８１】
そして、図７の状態にあるときに、キー操作部２０６に設けられている下矢印キーを操作し、「一覧表示」の項目にカーソルを位置付け決定キーを押下操作すると、制御部２１０は、記録再生部２０４を制御し、現在表示している画像の画像データが格納されている画像ファイルから、これに付加されている撮影者情報を読み出し、これを再生処理部２０５を通じて表示部２０３に供給する。ここで、撮影者情報の「一覧表示」は、１人の撮影者についての撮影者情報の全部項目を１画面に表示するものである。
【００８２】
これにより、表示部２０３のＬＣＤの表示画面２０３Ｇには、図８に示すように、撮影画像の表示に代えて、当該撮影画像を撮影した撮影者情報の一覧表示が表示される。図８に示した例の場合には、撮影者情報の全項目の情報、すなわち、撮影者情報の撮影者顔写真データに応じた顔写真表示ＵＰｈ、名前（氏名）等、連絡先名称、電話番号（ＴＥＬ）、ＦＡＸ番号（ＦＡＸ）、電子メールアドレス（Ｅメール）、ＵＲＬ、プロフィール情報、使用カメラ情報のそれぞれが表示するようにされている。
【００８３】
なお、図８に示す撮影者情報の一覧表示の場合、プロフィール情報や使用カメラ情報の情報量が多く、表示画面２０３Ｇの所定の表示領域に表示しきれない場合には、スクロール表示や改ページより、その全部を表示することができるようにされる。また、この図８に示した撮影者情報の一覧表示の場合にも、表示画面２０３Ｇの右上端部に表示されている「戻る」アイコンＢＫを選択することにより、撮影画像に撮影者情報メニューＵＭＮを表示するようにした、図７に示した状態に戻ることができるようにされる。
【００８４】
また、図７の状態にあるときに、キー操作部２０６に設けられている下矢印キーを操作し、「プロフィール」の項目にカーソルを位置付け決定キーを押下操作すると、制御部２１０は、記録再生部２０４を制御し、現在表示している画像の画像データが格納されている画像ファイルから、これに付加されている撮影者情報の内の「名前等」と、「プロフィール情報」とを読み出し、これを再生処理部２０５を通じて表示部２０３に供給する。
【００８５】
これにより、表示部２０３のＬＣＤの表示画面２０３Ｇには、図９に示すように、撮影画像の表示に代えて、当該撮影画像を撮影した撮影者の撮影者情報の内、名前（氏名）等とプロフィール情報とが表示するようにされる。この場合、主にプロフィール情報が表示されるので、プロフィール情報の全部を１画面中に表示して、これを使用者が見ることができるようにされる。
【００８６】
なお、この図９に示したプロフィール情報の表示の場合にも、表示画面２０３Ｇの右上端部に表示されている「戻る」アイコンＢＫを選択することにより、撮影画像に撮影者情報メニューＵＭＮを表示するようにした、図７に示した状態に戻ることができるようにされる。
【００８７】
また、図７の状態にあるときに、キー操作部２０６に設けられている下矢印キーを操作し、「アクセス先」の項目にカーソルを位置付け決定キーを押下操作すると、制御部２１０は、記録再生部２０４を制御し、現在表示している画像の画像データが格納されている画像ファイルから、これに付加されている撮影者情報の内の「名前等」と、「連絡先名称」と、「電話番号」と、「ＦＡＸ番号」と、「ＵＲＬ」と、「電子メールアドレス」とを読み出し、これを再生処理部２０５を通じて表示部２０３に供給する。
【００８８】
これにより、表示部２０３のＬＣＤの表示画面２０３Ｇには、図１０に示すように、撮影画像の表示に代えて、当該撮影画像を撮影した撮影者の撮影者情報の内、名前（氏名）等と、連絡先名称と、電話番号と、ＦＡＸ番号と、ＵＲＬと、電子メールアドレスとが表示するようにされる。この場合、主に撮影者の連絡先が表示されるので、撮影者の連絡先を確実に知ることができるようにされる。
【００８９】
なお、この図１０に示したプロフィール情報の表示の場合にも、表示画面２０３Ｇの右上端部に表示されている「戻る」アイコンＢＫを選択することにより、撮影画像に撮影者情報メニューＵＭＮを表示するようにした、図７に示した状態に戻ることができるようにされる。
【００９０】
また、図７の状態にあるときに、キー操作部２０６に設けられている下矢印キーを操作し、「その他」の項目にカーソルを位置付け決定キーを押下操作すると、制御部２１０は、記録再生部２０４を制御し、現在表示している画像の画像データが格納されている画像ファイルから、これに付加されている撮影者情報の内の「名前等」と、「使用カメラ情報等」とを読み出し、これを再生処理部２０５を通じて表示部２０３に供給する。
【００９１】
これにより、表示部２０３のＬＣＤの表示画面２０３Ｇには、図１１に示すように、撮影画像の表示に代えて、当該撮影画像を撮影した撮影者の撮影者情報の内、名前（氏名）等と、使用カメラ情報等とが表示するようにされる。この場合、主に使用カメラ情報やその他の情報が表示されるので、撮影者が使用しているカメラについての情報やその他の情報を確実に知ることができるようにされる。
【００９２】
なお、この図１１に示したプロフィール情報の表示の場合にも、表示画面２０３Ｇの右上端部に表示されている「戻る」アイコンＢＫを選択することにより、撮影画像に撮影者情報メニューＵＭＮを表示するようにした、図７に示した状態に戻ることができるようにされる。
【００９３】
このように、この実施の形態の撮像装置の場合には、表示するようにした画像を形成する画像データに対して付加するようにされている撮影者情報の全部を一覧表示するようにしたり、撮影者情報の中から特に必要な情報だけを視認性良く表示させたりすることができるようにしている。
【００９４】
［撮影者情報のメンテナンス処理について］
次に、図３を用いて説明した撮影者情報のメンテナンス処理、すなわち、撮影者情報の追加、変更、削除処理について説明する。撮影者情報のメンテナンス処理は、例えば、キー操作部２０６のメニューキーを押下操作することにより表示されるメニューの中から、撮影者情報のメンテナンス処理を実行するための項目を選択することにより実行することができる。
【００９５】
そして、撮影者情報のメンテナンス処理が実行されると、カメラ本体２００の表示部２０３の表示画面に、撮影者情報メンテナンス画面が表示され、基本的に、当該画面に対してキー操作部２０６を通じて情報を入力することにより、撮影者情報の追加や変更を行うことができるようにしている。
【００９６】
なお、後述もするが、撮影者の顔写真データは、交換型レンズ１００とカメラ本体２００とからなるこの実施の形態の撮像装置において、撮影者を撮影することにより得ることができるようにされる。また、削除の場合には、撮影者情報メンテナンス画面に表示された情報を確認し、当該撮影者情報が不必要なものである場合には、キー操作部２０６を通じて削除指示を入力することにより、当該撮影者情報をＥＥＰＲＯＭ２１４から削除することができるようにされる。
【００９７】
図１２は、撮影者情報メンテナンス画面の一例を説明するための図である。図１２に示すように、この例の撮影者情報メンテナンス画面は、名前等の入力・表示領域Ｕ０１、連絡先名称の入力・表示領域Ｕ０２、電話番号の入力・表示領域Ｕ０３、ファクシミリ番号の入力領域Ｕ０４、電子メールアドレスの入力・表示領域Ｕ０５、ＵＲＬの入力・表示領域Ｕ０６、プロフィール情報の入力・表示領域Ｕ０７、使用カメラ情報等の入力表示領域Ｕ０８、撮影者の顔写真の表示領域Ｕ０９からなるものである。
【００９８】
また、図１２に示したように、撮影者情報メンテナンス画面の右上端部には、撮影者情報に対してどのような処理を行うようにしているのかを示すガイド情報Ｇｄ１が表示される。図１２の場合には、ガイド情報Ｇｄ１として、「追加」の文字が表示され、当該撮影者情報メンテナンス画面を通じて、撮影者情報の追加処理が行われていることを示している。
【００９９】
そして、ガイド情報Ｇｄ１が、「変更」である場合には、当該撮影者情報メンテナンス画面に表示されている撮影者情報の目的とする情報を変更することができるようにされる、また、ガイド情報Ｇｄ１が、「削除」である場合には、当該撮影者情報メンテナンス画面に表示されている撮影者情報の全部をＥＥＰＲＯＭ２１４から削除することができるようにされる。
【０１００】
［撮像装置において行われる主な処理の詳細について］
次に、この実施の形態の撮像装置において行われる主な処理について、対応するフローチャートを参照しながら説明する。以下において、（１）撮影者情報メンテナンス処理、（２）実際に撮影を行う撮影者の設定処理、（３）撮影処理、（４）撮影画像再生処理の各処理について具体的に説明する。
【０１０１】
［（１）撮影者情報メンテナンス処理］
まず、上述もしたように、予めカメラ本体２００のＥＥＰＲＯＭ２１４に登録することができるようにされる撮影者情報のメンテナンス処理について説明する。図１３は、この実施の形態のカメラ本体２００の制御部２１０によって実行される撮影者情報のメンテナンス処理について説明するためのフローチャートである。
【０１０２】
図１３に示す処理は、上述もしたように、例えば、キー操作部２０６のメニューキーを押下操作することにより表示されるメニューの中から、撮影者情報のメンテナンス処理を実行するための項目を選択することにより、主にカメラ本体２００の制御部２１０において実行される処理である。
【０１０３】
図１３に示す処理が実行するようにされると、カメラ本体２００の制御部２１０は、再生処理部２０５と表示部２０３とを制御し、撮影者情報の追加処理を行うのか、変更処理を行うのか、削除処理を行うのか、あるいは、撮影者情報メンテナンス処理を終了させるのかの選択画面を表示し、その選択入力を、キー操作部２０６を通じて受け付けるようにする（ステップＳ１０１）。
【０１０４】
そして、制御部２１０は、ステップＳ１０１において受け付けた選択入力は、撮影者情報メンテナンス処理の終了を指示するものであるか否かを判断する（ステップＳ１０２）。ステップＳ１０２の判断処理において、受け付けた選択入力は、撮影者情報メンテナンス処理の終了を選択するものであると判断したときには、この図１３に示す処理を終了する。
【０１０５】
ステップＳ１０２の判断処理において、受け付けた選択入力は、撮影者情報メンテナンス処理の終了を選択するものではないと判断したときには、制御部２１０は、受け付けた選択入力は、撮影者情報の追加処理を選択するものか否かを判断する（ステップＳ１０３）。ステップＳ１０３の判断処理において、受け付けた選択入力は、撮影者情報の追加処理を選択するものであると判断したときには、撮影者情報の追加処理を実行し（ステップＳ１０４）、この図１３に示す処理を終了する。
【０１０６】
また、ステップＳ１０３の判断処理において、受け付けた選択入力は、撮影者情報の追加処理を選択するものではないと判断したときには、受け付けた選択入力は、撮影者情報の変更処理を選択するものであるか否かを判断する（ステップＳ１０５）。ステップＳ１０５の判断処理において、受け付けた選択入力は、撮影者情報の変更処理を選択するものであると判断したときには、撮影者情報の変更処理を実行し（ステップＳ１０６）、この図１３に示す処理を終了する。
【０１０７】
また、ステップＳ１０５の判断処理において、受け付けた選択入力は、撮影者情報の変更処理を選択するものではないと判断したときには、受け付けた選択入力は、撮影者情報の削除処理を選択するものであるか否かを判断する（ステップＳ１０７）。ステップＳ１０７の判断処理において、受け付けた選択入力は、撮影者情報の削除処理を選択するものであると判断したときには、撮影者情報の削除処理を実行し（ステップＳ１０８）、この図１３に示す処理を終了する。
【０１０８】
また、ステップＳ１０７の判断処理において、受け付けた選択入力は、撮影者情報の削除処理を選択するものではないと判断したときには、撮影者情報メンテナンス処理の終了を選択するものでも、撮影者情報の追加、変更、削除のいずれを選択するものでもないので、ステップＳ１０１からの処理を繰り返し、使用者による選択入力を受け付けるようにする。
【０１０９】
このように、この実施の形態の撮像装置においては、撮影者情報のメンテナンス処理を実行するようにすると、まず、撮影者情報の追加なのか、変更なのか、削除なのかの使用者からの選択入力を受け付けて、その選択入力に応じた処理を行うことができるようにされる。
【０１１０】
［撮影者情報の追加処理について］
次に、撮影者情報の追加処理について説明する。図１４は、図１３に示した撮影者情報メンテナンス処理のステップＳ１０４において実行される撮影者情報の追加処理を説明するためのフローチャートである。
【０１１１】
図１３に示した処理のステップＳ１０４において追加処理が実行された場合には、制御部２１０は、再生処理部２０５と表示部２０３とを制御し、図１２に示した撮影者情報メンテナンス画面を形成し、これを表部２０３の表示画面２０３Ｇに表示する（ステップＳ２０１）。そして、制御部２１０は、名前等の入力・表示欄Ｕ０１に対して、キー操作部２０６を通じて名前等の入力を受け付けるようにする（ステップＳ２０２）。
【０１１２】
そして、制御部２１０は、撮影者情報の追加処理の終了指示を受け付けたか否かを判断する（ステップＳ２０３）。ステップＳ２０３の判断処理において、撮影者情報の追加処理の終了指示を受け付けたと判断したときには、この図１４に示す処理を終了し、図１３に示した撮影者情報メンテナンス処理に戻り、当該メンテナンス処理自体を終了させるようにする。
【０１１３】
ステップＳ２０３の判断処理において、撮影者情報の追加処理の終了指示を受け付けていないと判断したときには、制御部２１０は、連絡先名称の入力・表示欄Ｕ０２に対して、キー操作部２０６を通じて連絡先名称の入力を受け付けるようにする（ステップＳ２０４）。そして、制御部２１０は、キー操作部２０６を通じて、前の入力項目に戻ることを指示する操作入力、例えば、バックキーが押下操作されたか否かを判断する（ステップＳ２０５）。
【０１１４】
ステップＳ２０５の判断処理において、バックキーが押下操作されたと判断したときには、ステップＳ２０２からの処理に戻って、再度、名前等の入力からの処理を行うことができるようにされる。ステップＳ２０５の判断処理において、バックキーは押下操作されていないと判断したときには、制御部２１０は、電話番号の入力・表示欄Ｕ０３に対して、キー操作部２０６を通じて電話番号の入力を受け付けるようにする（ステップＳ２０６）。
【０１１５】
そして、制御部２１０は、キー操作部２０６を通じて、バックキーが押下操作されたか否かを判断する（ステップＳ２０７）。ステップＳ２０７の判断処理において、バックキーが押下操作されたと判断したときには、ステップＳ２０４からの処理に戻って、再度、連絡先名称の入力からの処理を行うことができるようにされる。ステップＳ２０７の判断処理において、バックキーは押下操作されていないと判断したときには、制御部２１０は、ファクシミリ番号の入力・表示欄Ｕ０４に対して、キー操作部２０６を通じファクシミリ番号の入力を受け付けるようにする（ステップＳ２０８）。
【０１１６】
そして、制御部２１０は、キー操作部２０６を通じて、バックキーが押下操作されたか否かを判断する（ステップＳ２０９）。ステップＳ２０９の判断処理において、バックキーが押下操作されたと判断したときには、ステップＳ２０６からの処理に戻って、再度、電話番号の入力からの処理を行うことができるようにされる。ステップＳ２０９の判断処理において、バックキーは押下操作されていないと判断したときには、制御部２１０は、電子メールアドレスの入力・表示欄Ｕ０５に対して、キー操作部２０６を通じ電子メールアドレスの入力を受け付けるようにする（ステップＳ２１０）。
【０１１７】
そして、制御部２１０は、キー操作部２０６を通じて、バックキーが押下操作されたか否かを判断する（ステップＳ２１１）。ステップＳ２１１の判断処理において、バックキーが押下操作されたと判断したときには、ステップＳ２０８からの処理に戻って、再度、ファクシミリ番号の入力からの処理を行うことができるようにされる。ステップＳ２１１の判断処理において、バックキーは押下操作されていないと判断したときには、制御部２１０は、ＵＲＬの入力・表示欄Ｕ０６に対して、キー操作部２０６を通じＵＲＬの入力を受け付けるようにする（ステップＳ２１２）。
【０１１８】
そして、制御部２１０は、キー操作部２０６を通じて、バックキーが押下操作されたか否かを判断する（ステップＳ２１３）。ステップＳ２１３の判断処理において、バックキーが押下操作されたと判断したときには、ステップＳ２１０からの処理に戻って、再度、電子メールアドレスの入力からの処理を行うことができるようにされる。ステップＳ２１３の判断処理において、バックキーは押下操作されていないと判断したときには、制御部２１０は、プロフィール情報の入力・表示欄Ｕ０７に対して、キー操作部２０６を通じプロフィール情報の入力を受け付けるようにする（ステップＳ２１４）。
【０１１９】
そして、制御部２１０は、キー操作部２０６を通じて、バックキーが押下操作されたか否かを判断する（ステップＳ２１５）。ステップＳ２１５の判断処理において、バックキーが押下操作されたと判断したときには、ステップＳ２１２からの処理に戻って、再度、ＵＲＬの入力からの処理を行うことができるようにされる。ステップＳ２１５の判断処理において、バックキーは押下操作されていないと判断したときには、制御部２１０は、使用カメラ情報等の入力・表示欄Ｕ０８に対して、キー操作部２０６を通じ使用カメラ情報等の入力を受け付けるようにする（ステップＳ２１６）。
【０１２０】
そして、制御部２１０は、キー操作部２０６を通じて、バックキーが押下操作されたか否かを判断する（ステップＳ２１７）。ステップＳ２１７の判断処理において、バックキーが押下操作されたと判断したときには、ステップＳ２１４からの処理に戻って、再度、プロフィール情報の入力からの処理を行うことができるようにされる。ステップＳ２１７の判断処理において、バックキーは押下操作されていないと判断したときには、制御部２１０は、交換型レンズ１００と、カメラ本体２００の各部を制御し、撮影者の顔写真の撮影を行うことができるようにされる（ステップＳ２１８）。
【０１２１】
ステップＳ２１８の処理においては、例えば、交換型レンズ１００として望遠レンズが装着されている場合などにおいては、近距離の撮影に適した交換型レンズに交換することを促すメッセージを表示するなどして、撮影者の顔写真を適切に撮影することができるようにされる。また、ステップＳ２１８においては、表示部２０３の表示画面に表示されている図１２に示した撮影者情報メンテナンス画面は一時消去され、被写体の画像が表示するようにされ、撮影者の顔写真の撮影を通常の撮影時と同様にして撮影することができるようにされる。
【０１２２】
そして、制御部２１０は、キー操作部２０６を通じて、バックキーが押下操作されたか否かを判断する（ステップＳ２１９）。ステップＳ２１９の判断処理において、バックキーが押下操作されたと判断したときには、ステップＳ２１６からの処理に戻って、再度、使用カメラ情報等の入力からの処理を行うことができるようにされる。ステップＳ２１９の判断処理において、バックキーは押下操作されていないと判断したときには、制御部２１０は、キー操作部２０６を通じて、終了を指示する操作が行われたか否かを判断する（ステップＳ２２０）。
【０１２３】
ステップＳ２２０において終了を指示する操作が行われたと判断したときには、今までに入力された撮影者情報を登録することなく、この図１４に示す処理を終了する。ステップＳ２２０において終了を指示する操作は行われていないと判断したときには、これまでに入力された撮影者情報の登録を指示する入力（登録ＯＫ確認）がなされたか否かを判断する（ステップＳ２２１）。
【０１２４】
ステップＳ２２１の判断処理において、登録ＯＫ確認がなされていないと判断したときには、ステップＳ２１８からの処理を繰り返し、撮影者の顔写真の撮影からの処理を行うことができるようにされる。また、ステップＳ２２１の判断処理において、登録ＯＫ確認がなされたと判断したときには、制御部２１０は、これまでに受け付けた撮影者情報を１まとまりの撮影者情報とし、撮影者ＩＤを付加して、図３に示した態様で当該撮影者情報をＥＥＰＲＯＭ２１４に登録し（ステップＳ２２２）、この図１４に示す撮影者情報追加処理を終了して、図１３を用いて説明した撮影者情報メンテナンス処理に戻る。
【０１２５】
このように、撮影者情報追加処理の場合には、図１２を用いて説明した撮影者情報メンテナンス画面を構成する各撮影者情報に対して情報を入力していくことにより、撮影者情報を入力することができる。また、図１４を用いて説明したように、この例の場合には、バックキーが押下操作された場合には、現在の入力項目の１つ前に戻って、情報の再入力を行うことができるようにされる。また、いずれの撮影者情報も必須の入力項目ではなく、必要な情報だけを入力して用いるようにすることもできる。
【０１２６】
［撮影者情報の変更処理について］
次に、撮影者情報の変更処理について説明する。図１５は、図１３に示した撮影者情報メンテナンス処理のステップＳ１０６において実行される撮影者情報の変更処理を説明するためのフローチャートである。
【０１２７】
図１３に示した処理のステップＳ１０６において変更処理が実行された場合には、制御部２１０は、まず、ＥＥＰＲＯＭ２１４に登録されている１つ以上の撮影者情報の一覧リストを形成し、これを再生処理部２０５及び表示部２０３を制御して、表示部２０３の表示画面２０３Ｇに表示する（ステップＳ３０１）。なお、ステップＳ３０１において表示される一覧リストは、変更対象の撮影者情報を選択するためのものであり、例えば、登録されている各撮影者情報の識別ＩＤと名前とからなるものである。
【０１２８】
そして、制御部２１０は、ステップＳ３０１において表示した撮影者情報の一覧リストの中から情報を変更する撮影者情報の選択入力を受け付ける（ステップＳ３０２）。そして、制御部２１０は、ステップＳ３０２において選択された撮影者情報の全部をＥＥＰＲＯＭ２１４から読み出し、この読み出した撮影者情報を表示情報とする図１２に示した撮影者情報メンテナンス画面を表示する（ステップＳ３０３）。この場合、画面の右上に表示されるガイダンス情報Ｇｄ１は、「（変更）」と言うように、現在行うようにされている撮影者情報のメンテナンス処理は、変更処理であることが示される。
【０１２９】
そして、図１４に示したステップＳ２０２〜ステップＳ２２２までの処理と同様の処理を行うようにする（ステップＳ３０４）。これにより、既にＥＥＰＲＯＭ２１４に登録されている撮影者情報の目的とする情報を変更することができるようにされる。例えば、電話番号を別の電話番号に変更したり、電話番号を消去したりするなど、撮影者情報を構成する情報の変更を行うことができるようにされる。
【０１３０】
［撮影者情報の削除処理について］
次に、撮影者情報の削除処理について説明する。図１６は、図１３に示した撮影者情報メンテナンス処理のステップＳ１０８において実行される撮影者情報の削除処理を説明するためのフローチャートである。
【０１３１】
図１３に示した処理のステップＳ１０８において削除処理が実行された場合には、制御部２１０は、まず、ＥＥＰＲＯＭ２１４に登録されている１つ以上の撮影者情報の一覧リストを形成し、これを再生処理部２０５及び表示部２０３を制御して、表示部２０３の表示画面２０３Ｇに表示する（ステップＳ４０１）。なお、ステップＳ４０１において表示される一覧リストは、削除対象の撮影者情報を選択するためのものであり、例えば、識別ＩＤと名前とからなるものである。
【０１３２】
そして、制御部２１０は、ステップＳ４０１において表示した撮影者情報の一覧リストの中から削除する撮影者情報の選択入力を受け付ける（ステップＳ４０２）。そして、制御部２１０は、ステップＳ４０２において選択された撮影者情報の全部をＥＥＰＲＯＭ２１４から読み出し、この読み出した撮影者情報を表示情報とする図１２に示した撮影者情報メンテナンス画面を表示する（ステップＳ４０３）。この場合、画面の右上に表示されるガイダンス情報Ｇｄ１は、「（削除）」と言うように、現在行うようにされている撮影者情報のメンテナンス処理は、削除処理であることが示される。
【０１３３】
この後、制御部２１０は、キー操作部２０６を通じて、削除確認入力を受け付けるようにする（ステップＳ４０４）。そして、制御部２１０は、キー操作部２０６を通じて、前の処理に戻ることを指示する操作入力、例えば、バックキーが押下操作されたか否かを判断する（ステップＳ４０５）。ステップＳ４０５の判断処理において、バックキーが押下操作されたと判断したときには、ステップＳ４０１からの処理を繰り返すことができるようにされる。
【０１３４】
ステップＳ４０５の判断処理において、バックキーは押下操作されていないと判断したときには、制御部２１０は、キー操作部２０６を通じて、終了を指示する操作が行われたか否かを判断する（ステップＳ４０６）。ステップＳ４０６において終了を指示する操作が行われたと判断したときには、図１６に示す削除処理を終了し、図１３に示した撮影者情報メンテナンス処理に戻るようにされる。
【０１３５】
また、ステップＳ４０６において、終了を指示する操作は行われていないと判断したときには、現在表示されている撮影者情報の削除を指示する入力（削除ＯＫ確認）がなされたか否かを判断する（ステップＳ４０７）。ステップＳ４０７の判断処理において、削除ＯＫ確認がなされていないと判断したときには、ステップＳ４０４からの処理を繰り返し、再度、削除確認入力を行うことができるようにされる。
【０１３６】
また、ステップＳ４０７の判断処理において、削除ＯＫ確認がなされたと判断したときには、制御部２１０は、現在、表示部２０３の表示画面２０３Ｇに表示するようにしている撮影者情報をＥＥＰＲＯＭ２１４から削除する処理を実行する（ステップＳ４０８）。この後、この図１６に示す処理を終了し、図１３に示した撮影者情報メンテナンス処理に戻る。
【０１３７】
これにより、ＥＥＰＲＯＭ２１４に既に登録した撮影者情報であっても、不要になった撮影者情報については、ＥＥＰＲＯＭ２１４から削除することができるようにされる。
【０１３８】
［（２）実際に撮影を行う撮影者の設定処理］
図３を用いて説明したように、ＥＥＰＲＯＭ２１４の撮影者情報格納領域２１４Ｕには、複数の撮影者情報を予め登録しておくことができるようにされる。このため、実際に、当該撮像装置を用いて撮影を行っている撮影者が誰であるかを設定しておかないと、撮影することにより得た画像データに対して、適切に撮影者の撮影者情報を付加することができなくなってしまう。
【０１３９】
そこで、この実施の形態の撮像装置においては、当該撮像装置に電源が投入された場合に、実際に撮影を行う撮影者の設定や変更を行うことができるようにしている。図１７は、この実施の形態の撮像装置のカメラ本体の制御部２１０によって実行される撮影者情報選択設定処理を説明するためのフローチャートである。
【０１４０】
この実施の形態の撮像装置のカメラ本体２００に電源が投入されると、制御部２１０は、図１７に示す処理を実行する。まず、制御部２１０は、ＥＥＰＲＯＭ２１４の撮影者情報格納領域２１４Ｕに既に格納されている撮影者情報は１つか否かを判断する（ステップＳ５０１）。
【０１４１】
ステップＳ５０１の判断処理において、登録されている撮影者情報が１つであると判断された場合には、実際の撮影者の撮影者情報を選択する必要は無いので、当該撮影者情報は、例えば、ＥＥＰＲＯＭの予めきめられている設定領域に、実際の撮影者の撮影者情報が既に設定済みか否かを判断する（ステップＳ５１２）。
【０１４２】
ステップＳ５１２の判断処理において、既に撮影者情報が設定されていると判断したときには、撮影者情報を選択して設定する必要も無いので、何もせずに、この図１７に示す処理を終了する。ステップＳ５１２の判断処理において、まだ、撮影者情報は設定済みでないと判断したときには、撮影者を示す情報の設定を行う（ステップＳ５１３）。このステップＳ５１３においては、登録されている一連の撮影者情報の内、例えば、識別ＩＤと名前だけを、実際の撮影者を示す情報として、ＥＥＰＲＯＭ２１４の予め決められている設定領域（実撮影者設定領域）に設定される。
【０１４３】
これにより、ＥＥＰＲＯＭ２１４の予め決められている実撮影者設定領域の設定情報を参照することにより、現在の撮影者は誰であるかを把握することができる。また、後に、他の撮影者情報が追加登録された場合であっても、ＥＥＰＲＯＭ２１４に登録されている撮影者情報から実際の撮影者の撮影者情報を特定して読み出すことができるようにされる。
【０１４４】
そして、ステップＳ５０１の判断処理において、ＥＥＰＲＯＭ２１４に既に登録されている撮影者情報は、１つではないと判断したときには、制御部２１０は、ＥＥＰＲＯＭ２１４の予め決められている実撮影者設定領域に設定されている設定情報（撮影者情報（識別ＩＤと名前））を参照し、これを再生制御部２０５を通じて表示部２０３の表示画面２０３Ｇに表示する（ステップＳ５０２）。
【０１４５】
そして、制御部２１０は、キー操作部２０６を通じてユーザーからの実際の撮影者の設定についての指示入力を受け付ける（ステップＳ５０３）。そして、制御部２１０は、ユーザーから受け付けた指示入力は、実際の撮影者を示す情報として設定されている設定情報を変更する指示入力か否かを判断する（ステップＳ５０４）。
【０１４６】
ステップＳ５０４の判断処理において、受け付けた指示入力は、実際の撮影者を示す情報として設定されている設定情報を変更する指示入力ではないと判断したときには、設定情報をそのまま生かすようにして、この図１７に示す処理を終了する。
【０１４７】
また、ステップＳ５０４の判断処理において、受け付けた指示入力は、設定情報を変更する指示入力であると判断したときには、制御部２１０は、ＥＥＰＲＯＭ２１４に登録されている撮影者情報の一覧リストを作成し、これを再生処理部２０５を通じて表示部２０３に供給して、表示部２０３の表示画面２０３Ｇに表示する（ステップＳ５０５）。
【０１４８】
そして、制御部２１０は、キー操作部２０６を通じて実際の撮影者の撮影者情報の選択入力を受け付け（ステップＳ５０６）、受け付けた選択入力により選択された撮影者情報の識別ＩＤと名前とを、再生処理部２０５を通じて表示部２０３に供給して、表示部２０３の表示画面２０３Ｇに表示する（ステップＳ５０７）。
【０１４９】
この後、制御部２１０は、キー操作部２０６を通じてユーザーからの確認入力を受け付けるようにする（ステップＳ５０８）。そして、制御部２１０は、前の処理に戻ることを指示するバックキーの押下操作が行われたか否かを判断する（ステップＳ５０９）。ステップＳ５０９の判断処理において、バックキーが押下操作されたと判断したときには、ステップＳ５０５からの処理に戻り、再度、撮影者情報の一覧リストから目的とする撮影者情報を選択する処理から繰り返すことができるようにされる。
【０１５０】
また、ステップＳ５０９の判断処理において、バックキーは押下操作されていないと判断したときには、制御部２１０は、キー操作部２０６を通じて、選択された撮影者情報を、実際に撮影を行う撮影者として設定を指示する入力（設定ＯＫ確認）がなされたか否かを判断する（ステップＳ５１０）。
【０１５１】
ステップＳ５１０の判断処理において、設定ＯＫ確認は受け付けていないと判断したときには、制御部２１０はステップＳ５０８からの処理に戻り、キー操作部２０６を通じて確認入力を再度受け付けることができるようにされる。また、ステップＳ５１０の判断処理において、設定ＯＫ確認を受け付けたと判断したときには、選択された撮影者情報の識別ＩＤと名前とを、ＥＥＰＲＯＭ２１４の予め決められた実撮影者設定領域に新たな設定情報として設定する（ステップＳ５１１）。
【０１５２】
すなわち、ステップＳ５１１の処理は、既に設定されている情報に変えて、ステップＳ５０６において受け付けた選択入力により選択された撮影者情報を、新たに設定するものである。この後、この図１７に示す処理を終了する。
【０１５３】
これにより、ＥＥＰＲＯＭ２１４の所定の実撮影者設定領域には、実際の撮影者の撮影者情報の識別ＩＤと名前とを設定するようにされ、実際の撮影者を正確に把握し、その撮影者の撮影者情報を確実に特定することができるようにされる。
【０１５４】
すなわち、ＥＥＰＲＯＭ２１４の撮影者情報格納領域２１４Ｕには、この実施の形態のカメラ本体２００を使用する可能性のある複数のユーザー（撮影者）の撮影者情報を予め登録しておくことができるようにされる。そして、この実施の形態のカメラ本体２００を実際に使用する撮影者は誰であるかは、図１７に示した処理により、撮影処理に先立ってＥＥＰＲＯＭ２１４の所定の実撮影者設定領域に設定することができるようにされる。
【０１５５】
したがって、ＥＥＰＲＯＭ２１４に複数の撮影者情報が予め登録されている場合であっても、実際の撮影者は誰であるかを正確に把握することができると共に、実際の撮影者の撮影者情報はどれかをも正確に特定することができるようにしている。
【０１５６】
［（３）撮影処理］
次に、この実施の形態の撮像装置において行われる撮影処理について説明する。図１８は、この実施の形態のカメラ本体２００の制御部２１０において実行される撮影処理を説明するためのフローチャートである。この図１８のフローチャートに示す処理は、この実施の形態のカメラ本体２００の電源が投入され、図１７を用いて説明したように、実際の撮影者の設定が完了して撮影可能な状態になった場合に、制御部２１０において実行される。
【０１５７】
撮影が可能な状態になると、制御部２１０は、ユーザーによるシャッターキーの押下操作待ちとなり（ステップＳ６０１）、シャッターキーが押下操作されたことを検出すると、制御部２１０は、各部を制御し、交換型レンズ１００、撮像素子部２０１を通じて取り込んだ被写体の画像の画像信号から信号処理部２０２の機能により記録用の画像データを形成する（ステップＳ６０２）。
【０１５８】
そして、制御部２１０は、記録再生部２０４を制御し、信号処理部２０２からの記録用の画像データに、ファイル名、ヘッダ情報、実撮影者の撮影者情報を付加した画像ファイルを生成して、これを記録再生部２０４の記録媒体２５０に記録する（ステップＳ６０３）。そして、ステップＳ６０１からの処理を繰り返す。
【０１５９】
なお、画像ファイルに付加するようにされる実撮影者の撮影者情報は、図１７に示す処理によりＥＥＰＲＯＭ２１４の実撮影者設定領域に設定された実撮影者を示す情報に基づいて、ＥＥＰＲＯＭ２１４の撮影者情報格納領域２１４Ｕから読み出されたものである。
【０１６０】
これにより、撮影することにより得た被写体の画像の画像データに対して、実際に撮影を行った実撮影者の撮影者情報を付加した画像ファイルを形成し、これを記録媒体２５０に記録することができるようにされる。
【０１６１】
［（４）撮影画像再生処理］
次に、この実施の形態の撮像装置において行われる記録再生部２０４に装着されている記録媒体２５０に記録された画像ファイルの再生処理について説明する。図１９〜図２１は、この実施の形態の撮像装置を構成するカメラ本体２００の制御部２１０によって行うようにされる画像ファイルの再生処理（撮像画像等の再生処理）を説明するためのフローチャートである。
【０１６２】
この実施の形態の撮像装置においては、カメラ本体２００のキー操作部２０６に設けられている操作キーを操作することにより、撮像装置における実行モードを再生モードにすると、制御部２１０は、図１９〜図２１に示す再生処理を実行する。
【０１６３】
まず、制御部２１０は、記録再生部２０４を制御し、装着されている記録媒体２５０に記録されている画像ファイルそれぞれの画像データからサムネイル画像を表示するためのデータを形成し、これを再生処理部２０５を通じて表示部２０３に供給することにより、表示部２０３のＬＣＤの表示画面２０３Ｇに、撮影された画像のサムネイル画像の一覧表示を行うようにする（ステップＳ７０１）。
【０１６４】
ここでは、記録再生部２０４の機能により、撮影画像についてのサムネイル画像を形成するものとして説明したが、これに限るものではなく、撮影時等の所定のタイミングで予め撮影画像についてのサムネイル画像を表示するためのデータを形成し、これを画像ファイルに記録しておくことにより、サムネイル画像を表示するためのデータを一々形成することなく、必要に応じてサムネイル画像をより迅速に表示できるようにすることも可能である。また、再生処理部２０５などの記録再生部２０４以外の部分にサムネイル画像の形成機能を持たせるようにすることも可能である。
【０１６５】
そして、制御部２１０は、キー操作部２０６を通じてユーザーからのサムネイル画像の選択入力等を受け付けるようにする（ステップＳ７０２）。そして、制御部２１０は、キー操作部２０６の所定の操作キーを通じて行われる再生処理の終了指示を受け付けたか否かを判断する（ステップＳ７０３）。
【０１６６】
ステップＳ７０３の判断処理において、終了指示を受け付けたと判断したときには、制御部２１０は、サムネイル画像の表示を消去するなど、所定の終了処理を行って（ステップＳ７０４）、この図１９〜図２１に示す再生処理を終了する。ステップＳ７０３の判断処理において、終了指示は受け付けていないと判断したときには、制御部２１０は、キー操作部２０６の矢印キーなどの所定の操作キーを通じて行われるサムネイル画像の選択入力を受け付けたか否かを判断する（ステップＳ７０５）。
【０１６７】
ステップＳ７０５の判断処理において、サムネイル画像の選択入力を受け付けたと判断したときには、制御部２１０は、表示部２０３を制御して、受け付けた選択入力に応じて、カーソルの表示位置を移動させ、選択するように指示されたサムネイルファイル画像にカーソルを位置付けるようにし（ステップＳ７０６）、その後、ステップＳ７０２からの処理を繰り返すようにする。
【０１６８】
ステップＳ７０５の判断処理において、サムネイル画像の選択入力を受け付けていないと判断したときには、制御部２１０は、選択されたサムネイル画像の確定入力を受け付けたか否かを判断する（ステップＳ７０７）。ステップＳ７０７の判断処理において、確定入力を受け付けていないと判断したときには、ステップＳ７０２からの処理を繰り返すようにする。
【０１６９】
ステップＳ７０７の判断処理において、選択されたサムネイル画像の確定入力を受け付けたと判断したときには、制御部２１０は、記録再生部２０４を制御して、カーソルが位置付けられているサムネイル画像に対応する画像データが格納されている画像ファイルから当該画像データを読み出して圧縮解凍処理することにより圧縮前の画像データを復元する（ステップＳ７０８）。
【０１７０】
そして、制御部２１０は、記録再生部２０４、再生処理部２０５、表示処理部２０３を制御して、記録再生部２０４において復元した画像データを、再生処理部２０５を通じて表示部２０３に供給することにより、選択された撮影画像を表示部２０３のＬＣＤの表示画面２０３Ｇに表示する（ステップＳ７０９）。これにより、図５を用いて説明したように、記録媒体２５０に記録されている撮影画像のうち、目的とする撮影画像が表示部２０３のＬＣＤの表示画面２０３Ｇに表示される。
【０１７１】
そして、制御部２１０は、キー操作部２０６を通じてユーザーからの指示入力を受け付ける（ステップＳ７１０）。そして、制御部２１０は、キー操作部２０６の所定の操作キーを通じて行われる再生処理の終了指示を受け付けたか否かを判断する（ステップＳ７１１）。
【０１７２】
ステップＳ７１１の判断処理において、終了指示を受け付けたと判断したときには、制御部２１０は、ステップＳ７０９において表示するようにした撮影画像の表示を消去するなど、所定の終了処理をおこなって（ステップＳ７１２）、この図１９〜図２１に示す再生処理を終了する。ステップＳ７１１の判断処理において、終了指示は受け付けていないと判断したときには、図２０のステップＳ７１３の判断処理に進む。
【０１７３】
そして、制御部２１０は、ステップＳ７１０において受け付けた指示入力が、表示する撮影画像を替えるようにする「前進」あるいは「後退」の指示入力であるか否かを判断する（ステップＳ７１３）。ステップＳ７１３の判断処理において、「前進」あるいは「後退」の指示入力を受け付けたと判断したときには、指示された画像を選択するようにし（ステップＳ７１４）、図１９に示したステップＳ７０８からの処理を行って、新たな撮影画像の表示を行うようにする。
【０１７４】
すなわち、図１９に示したステップＳ７１０において、表示する撮影画像を次の撮影画像に変更するようにするための「前進」の指示入力を受け付けたときには、ステップＳ７１４においては、現在表示中の撮影画像の次（直後）に位置する撮影画像を形成する画像データを含む画像ファイルに読み出し位置を位置付けて、図１９のステップＳ７０８からの処理が行うようにされる。
【０１７５】
また、図１９に示したステップＳ７１０において、表示する撮影画像を次の撮影画像に変更するようにするための「後退」の指示入力を受け付けたときには、ステップＳ７１４においては、現在表示中の撮影画像の前（直前）に位置する撮影画像を形成する画像データを含む画像ファイルに読み出し位置を位置付けて、図１９のステップＳ７０８からの処理が行うようにされる。
【０１７６】
ステップＳ７１３の判断処理において、「前進」あるいは「後退」の指示入力を受け付けていないと判断したときには、ステップＳ７１０において受け付けた指示入力は、メニュー表示を指示する指示入力か否かを判断する（ステップＳ７１５）。ステップＳ７１５の判断処理において、受け付けた指示入力はメニュー表示の指示入力ではないと判断したときには、受け付けた指示入力に応じた処理を行い（ステップＳ７１６）、この後、図１９のステップＳ７１０からの処理を繰り返すようにする。なお、ステップＳ７１６で行われるユーザーの指示入力に応じた処理は、種々の調整処理、例えば、表示画像の明るさの調整処理や現在時刻の調整処理などがあげられる。
【０１７７】
また、ステップＳ７１５の判断処理において、受け付けた指示入力はメニュー表示の指示入力であると判断したときには、制御部２１０は、実行可能な機能を選択項目とするメニューＭＮを形成し、これを再生処理部２０５を通じて表示部２０３に供給することにより、図６を用いて説明したように、撮影画像の表示に重ねてメニューＭＮを表示部２０３のＬＣＤの表示画面２０３に表示する（ステップＳ７１７）。
【０１７８】
そして、制御部２１０は、キー操作部２０６を通じて、ユーザーからのメニュー項目等の選択入力等を受け付けるようにし（ステップＳ７１８）、選択入力等を受け付けたか否かを判断する（ステップＳ７１９）。ステップＳ７１９の判断処理において、選択入力等を受け付けていないと判断したときには、ステップＳ７１８からの処理を繰り返すようにする。
【０１７９】
ステップＳ７１９の判断処理において、選択入力等を受け付けたと判断したときには、受け付けたユーザーからの入力は、「戻る」アイコンＢＫの選択入力か否かを判断する（ステップＳ７２０）。ステップＳ７２０の判断処理において、受け付けたユーザーからの入力は、「戻る」アイコンＢＫの選択入力であると判断したときには、表示中のメニューＭＮを消去し（ステップＳ７２１）、図１９のステップＳ７１０からの処理を繰り返すようにする。
【０１８０】
ステップＳ７２０の判断処理において、受け付けたユーザーからの入力は、「戻る」アイコンＢＫの選択入力ではないと判断したときには、制御部２１０は、受け付けたユーザーからの入力は、メニューＭＮの「撮影者情報」の選択入力か否かを判断する（ステップＳ７２２）。
【０１８１】
ステップＳ７２２の判断処理において、受け付けたユーザーからの入力は、メニューＭＮの「撮影者情報」の選択入力ではないと判断したときには、ユーザーからの指示入力に応じた処理を実行し（ステップＳ７２３）、図２０のステップＳ７１７からの処理を繰り返すようにする。ここで、ステップＳ７２３において行われる処理は、ユーザーによって指示された処理であり、例えば、「画質調整」や画像の「削除」などのメニューＭＮの「撮影者情報」以外の他の項目に応じた処理などが行われることになる。
【０１８２】
ステップＳ７２２の判断処理において、受け付けたユーザーからの入力は、メニューＭＮの「撮影者情報」の選択入力であると判断したときには、制御部２１０は、図２１の処理に進み、撮影者情報メニューＵＭＮを形成し、これを再生処理部２０５を通じて表示部２０３に供給することにより、図７を用いて説明したように、撮影画像の表示に重ねて、撮影者情報メニューＵＭＮを表示部２０３のＬＣＤの表示画面２０３に表示する（ステップＳ７２４）。
【０１８３】
そして、制御部２１０は、キー操作部２０６を通じてユーザーからの選択入力等を受け付けるようにし（ステップＳ７２５）、ユーザーからの選択入力等を受け付けたか否かを確認する（ステップＳ７２６）。ステップＳ７２６の判断処理において、ユーザーからの選択入力等を受け付けていないと判断したときには、制御部２１０は、ステップＳ７２５からの処理を繰り返す。
【０１８４】
ステップＳ７２６の判断処理において、ユーザーからの選択入力等を受け付けたと判断したときには、制御部２１０は、受け付けたユーザーからの入力は、「戻る」アイコンＢＫの選択入力か否かを判断する（ステップＳ７２７）。このステップＳ７２７の判断処理において、「戻る」アイコンＢＫの選択入力を受け付けたと判断したときには、制御部２１０は、表示部２０３を制御するようにして、図７を用いて説明したように表示される撮影者情報メニューＵＭＮを消去し（ステップＳ７２８）、図２０に示したステップＳ７１７からの処理を繰り返し、図６に示したように、通常のメニューＭＮを表示した状態に戻るようにする。
【０１８５】
ステップＳ７２７の判断処理において、「戻る」アイコンＢＫの選択入力を受け付けていないと判断したときには、制御部２１０は、撮影者情報メニューＵＭＮの項目である「一覧表示」が選択されたか否かを判断する（ステップＳ７２９）。ステップＳ７２９の判断処理において、撮影者情報メニューＵＭＮの項目である「一覧表示」が選択されたと判断したときには、制御部２１０は、撮影者情報の一覧表示を行う（ステップＳ７３０）。
【０１８６】
すなわち、ステップＳ７３０においては、制御部２１０は、図８を用いて説明したように、現在表示している撮影画像を撮影した撮影者の撮影者情報の一覧表示を行う処理を実行する。この後、制御部２１０は、図２１のステップＳ７２４からの処理を繰り返すようにする。なお、ステップＳ７３０で実行される撮影者情報の一覧表示の表示処理の詳細については後述するが、当該一覧表示は、図８を用いて説明したように、撮影者情報の全項目の情報を一画面中に表示するものである。
【０１８７】
ステップＳ７２９の判断処理において、撮影者情報メニューＵＭＮの項目である「一覧表示」が選択されていないと判断したときには、制御部２１０は、撮影者情報メニューＵＭＮの項目である「プロフィール」が選択されたか否かを判断する（ステップＳ７３１）。ステップＳ７３１の判断処理において、撮影者情報メニューＵＭＮの項目である「プロフィール」が選択されたと判断したときには、制御部２１０は、撮影者情報の内の名前等の情報とプロフィール情報との表示処理を行う（ステップＳ７３２）。
【０１８８】
すなわち、ステップＳ７３２においては、制御部２１０は、図９を用いて説明したように、現在表示している撮影画像を撮影した撮影者の撮影者情報の内の名前等の情報とプロフィール情報とを表示する処理を実行する。この後、制御部２１０は、図２１のステップＳ７２４からの処理を繰り返すようにする。
【０１８９】
ステップＳ７３１の判断処理において、撮影者情報メニューＵＭＮの項目である「プロフィール」が選択されていないと判断したときには、制御部２１０は、撮影者情報メニューＵＭＮの項目である「アクセス先」が選択されたか否かを判断する（ステップＳ７３３）。ステップＳ７３３の判断処理において、撮影者情報メニューＵＭＮの項目である「サクセス先」が選択されたと判断したときには、制御部２１０は、撮影者情報の内の名前等の情報と連絡先の情報からなるアクセス先情報の表示処理を行う（ステップＳ７３４）。
【０１９０】
すなわち、ステップＳ７３４においては、制御部２１０は、図１０を用いて説明したように、現在表示している撮影画像を撮影した撮影者の撮影者情報の内の名前等の情報と、連絡先名称と、電話番号と、ＦＡＸ番号と、電子メールアドレスと、ＵＲＬとからなるアクセス先情報を表示する処理を実行する。この後、制御部２１０は、図２１のステップＳ７２４からの処理を繰り返すようにする。
【０１９１】
ステップＳ７３５の判断処理において、撮影者情報メニューＵＭＮの項目である「アクセス先」が選択されていないと判断したときには、制御部２１０は、撮影者情報メニューＵＭＮの項目である「その他」が選択されたか否かを判断する（ステップＳ７３５）。ステップＳ７３５の判断処理において、撮影者情報メニューＵＭＮの項目である「その他」が選択されたと判断したときには、制御部２１０は、撮影者情報の内の名前等の情報と使用カメラ情報等の表示処理を行う（ステップＳ７３６）。
【０１９２】
すなわち、ステップＳ７３６においては、制御部２１０は、図１１を用いて説明したように、現在表示している撮影画像を撮影した撮影者の撮影者情報の内の名前等の情報と、使用カメラ情報等の情報からなるその他の情報を表示する処理を実行する。この後、制御部２１０は、図２１のステップＳ７２４からの処理を繰り返すようにする。
【０１９３】
また、ステップＳ７３５の判断処理において、撮影者情報メニューＬＭＮの項目である「その他」が選択されていないと判断したときには、制御部２１０は、有効な入力操作はなされていないと判断し、ステップＳ７２５からの処理を繰り返し、選択入力等受付からの処理を行うようにする。
【０１９４】
このように、この実施の形態の撮像装置において、撮影画像の再生を行う場合には、単に撮影画像を再生することができるだけでなく、表示するようにした（再生するようにした）撮影画像を撮影した撮影者に関する種々の情報（撮影者情報）についても必要に応じて表示することができるようにしている。
【０１９５】
［撮影者情報の一覧表示の表示処理について］
次に、図２１のステップＳ７３０において実行される撮影者情報の一覧表示の表示処理について説明する。図２２は、図２１のステップＳ７３０において実行される撮影者情報の一覧表示の表示処理について説明するためのフローチャートである。
【０１９６】
図２２に示すように、撮影者情報の一覧表示の表示処理においては、制御部２１０は、まず、記録再生部２０４を制御し、現在表示されている撮影画像を形成する画像データが格納されている画像ファイルから、当該画像データに付加するようにされている撮影者情報を読み出す（ステップＳ７３０１）。この読み出した撮影者情報を、再生処理部２０５を通じて表示部２０３に供給することにより、表示部２０３のＬＣＤの表示画面２０３Ｇに撮影者情報の一覧表示を表示する（ステップＳ７３０２）。
【０１９７】
すなわち、ステップＳ７３０２においては、ステップＳ７３０１において読み出した撮影者情報から、図８に示したように、撮影者情報の全項目の情報を１画面に表示するようにする処理を行う。
【０１９８】
そして、制御部２１０は、キー操作部２０６を通じてユーザーからの指示入力を受け付けるようにし（ステップＳ７３０３）、「戻る」アイコンＢＫが選択されたか否かを判断する（ステップＳ７３０４）。ステップＳ７３０４の判断処理において、「戻る」アイコンＢＫが選択されていないと判断したときには、ステップＳ７３０３からの処理を繰り返すようにする。
【０１９９】
ステップＳ７３０４の判断処理において、「戻る」アイコンＢＫが選択されたと判断したときには、制御部２１０は、再生処理部２０５、表示部２０３を制御し、ステップＳ７３０２において表示した撮影者情報の一覧表示を消去して、当該撮影者情報の一覧表示が表示されるまで表示されていた撮影画像を表示するようにし（ステップＳ７３０５）、この図２２に示す撮影者情報の一覧表示の表示処理を終了し、図２１の撮影画像再生ルーチンに戻る。
【０２００】
なお、ステップＳ７３０５において、元の撮影画像を表示する処理は、例えば、制御部２１０や表示部２０３などが備えるメモリに直前まで表示するようにしていた撮影画像を形成する画像データを一時記憶しておき、これを用いるようにする。もちろん、記録再生部２０４に装着されている記録媒体２５０から再度読み出して用いるようにすることもできる。
【０２０１】
［撮影者情報の他の項目の表示処理について］
図２２を用いて、図２１に示したステップＳ７３０において行われる撮影者情報の一覧表示の表示処理について説明した。しかし、ステップＳ７３２、ステップＳ７３４、ステップＳ７３６において行われる撮影者情報の他の項目の表示処理も、基本的は図２２に示した処理と同様に行われる。
【０２０２】
すなわち、図２１のステップＳ７３２において行われるプロフィール表示処理の場合には、図２２に示したステップＳ７３０１において、目的とする画像ファイルの撮影者情報から、名前等の情報とプロフィール情報とを読み出す。そして、ステップＳ７３０２において、図９を用いて説明した態様でプロフィール情報を表示する。また、ステップＳ７３０５においては、ステップＳ７３０２において表示した図９に示した表示を消去して、例えば図５に示したようにもとの撮影画像の表示に戻るようにする。
【０２０３】
また、図２１のステップＳ７３４において行われるアクセス先表示処理の場合には、図２２に示したステップＳ７３０１において、目的とする画像ファイルの撮影者情報から、名前等の情報と、連絡先名称と、電話番号、ＦＡＸ番号、電子メールアドレス、ＵＲＬなどのアクセス先を示す情報とを読み出す。そして、ステップＳ７３０２において、図１０を用いて説明した態様でアクセス先情報を表示する。また、ステップＳ７３０５においては、ステップＳ７３０２において表示した図１０に示した表示を消去して、例えば図５に示したようにもとの撮影画像の表示に戻るようにする。
【０２０４】
また、図２１のステップＳ７３６において行われるその他の情報の表示処理の場合には、図２２に示したステップＳ７３０１において、目的とする画像ファイルの撮影者情報から、名前等の情報と、使用カメラ情報等とを読み出す。そして、ステップＳ７３０２において、図１１を用いて説明した態様で使用カメラ情報等のその他の情報を表示する。また、ステップＳ７３０５においては、ステップＳ７３０２において表示した図１１に示した表示を消去して、例えば図５に示したようにもとの撮影画像の表示に戻るようにする。
【０２０５】
このように、ステップＳ７３０、ステップＳ７３２、ステップＳ７３４、ステップＳ７３６において行われる撮影者情報の表示処理は、表示対象の情報が異なるが、その表示処理については同様に行うようにすることができる。
【０２０６】
［撮像画像再生処理の第１の他の例］
図２３は、撮影者情報の表示を制限する場合の撮像画像等の再生処理（撮像画像再生処理の第１の他の例）を説明するためのフローチャートである。ここで説明する撮像画像再生処理の第１の他の例の場合にも、図１９、図２０に示した処理は同様に行われ、記録再生部２０４に装填されている記録媒体２５０に記憶保持されている撮影画像の中から目的とする撮影画像を選択して表示し、通常のメニューＭＮを表示して、画質調整処理、撮影画像の削除処理、撮影者情報の表示処理を行うことができるようにされる。
【０２０７】
そして、図２０に示した処理のステップＳ７１７において受け付けた選択入力が、ステップＳ７２２の判断処理において、メニューＭＮの項目である「撮影者情報」を選択するものであると判断した場合に、制御部２１０は、図２１に示した処理に替えて図２３に示す処理を実行する。
【０２０８】
この場合、制御部２１０は、記録再生部２０４を制御して、現在表示中の撮影画像を形成する画像データの画像ファイルから、撮影者情報の内の識別ＩＤを読み出す（ステップＳ８０１）。そして、制御部２１０は、ステップＳ８０１において読み出した撮影者情報の識別ＩＤと、図１７の処理によりＥＥＰＲＯＭ２１４の実撮影者設定領域に予め設定されている撮影者情報についての識別ＩＤとを比較して、同じ撮影者か否かを判断する（ステップＳ８０２）。
【０２０９】
ステップＳ８０２の判断処理において、同じ撮影者でないと判断したときには、制御部２１０は、図２１に示した撮影者情報の一覧表示やプロフィール表示をも表示可能にする撮影者情報メニューＵＭＮを表示して選択可能にする処理を実行する（ステップＳ８０３）。すなわち、ステップＳ８０３の処理は、先に説明した撮影画像再生処理と同じ処理を行うようにするものである。
【０２１０】
また、ステップＳ８０２の判断処理において、同じ撮影者であると判断したときには、制御部２１０は、撮影者情報の一覧表示やプロフィール表示を行うための項目を含まない撮影者情報メニューＵＭＮを表示するようにする（ステップＳ８０４）。すなわち、再生対象の画像を撮影した撮影者と、現在、カメラ本体２００を用いている撮影者とが同じである場合、現在の撮影者が、本人のプロフィール情報や顔写真を閲覧する必要性は低い。これに対して、電子メールアドレスやＵＲＬなどは覚え難いので確認したい場合もあり、使用カメラ情報等についても、どのような情報を登録するようにしているのか確認したい場合もある。
【０２１１】
そこで、ステップＳ８０４においては、制御部２１０は、撮影者情報の一覧表示やプロフィール表示を行うための項目を含まない撮影者情報メニューＵＭＮを形成し、これを再生処理部２０５を介して表示部２０３に供給する。これにより、撮影者情報の一覧表示やプロフィール表示を行うための項目を含まない撮影者情報メニューＵＭＮが表示部２０３のＬＣＤの表示画面２０３Ｇに表示される。
【０２１２】
そして、制御部２１０は、キー操作部２０６を通じてユーザーからの選択入力等を受け付けるようにし（ステップＳ８０５）、ユーザーからの選択入力等を受け付けたか否かを確認する（ステップＳ８０６）。ステップＳ８０６の判断処理において、ユーザーからの選択入力等を受け付けていないと判断したときには、制御部２１０は、ステップＳ８０５からの処理を繰り返し、ユーザーからの選択入力等を受け付けるようにする。
【０２１３】
ステップＳ８０６の判断処理において、ユーザーからの選択入力等を受け付けたと判断したときには、制御部２１０は、受け付けたユーザーからの入力は、「戻る」アイコンＢＫの選択入力か否かを判断する（ステップＳ８０７）。このステップＳ８０７の判断処理において、「戻る」アイコンＢＫの選択入力を受け付けたと判断したときには、制御部２１０は、表示部２０３を制御するようにして、撮影者情報の一覧表示やプロフィール表示を行うための項目を含まない撮影者情報メニューＵＭＮを消去し（ステップＳ８０８）、図２０に示したステップＳ７１７からの処理を繰り返し、図６に示したように、通常のメニューＭＮを表示した状態に戻るようにする。
【０２１４】
ステップＳ８０７の判断処理において、「戻る」アイコンＢＫの選択入力を受け付けていないと判断したときには、制御部２１０は、撮影者情報メニューＵＭＮの項目である「アクセス先」が選択されたか否かを判断する（ステップＳ８０９）。ステップＳ８０９の判断処理において、撮影者情報メニューＵＭＮの項目である「アクセス先」が選択されたと判断したときには、制御部２１０は、図１０に示したように、撮影者情報の内の名前等の情報とアクセス先の情報を表示する処理を実行し（ステップＳ８１０）、この後、図２３のステップＳ８０４からの処理を繰り返すようにする。
【０２１５】
ステップＳ８０９の判断処理において、撮影者情報メニューＵＭＮの項目である「アクセス先」が選択されていないと判断したときには、制御部２１０は、撮影者情報メニューＵＭＮの項目である「その他」が選択されたか否かを判断する（ステップＳ８１１）。ステップＳ８１１の判断処理において、撮影者情報メニューＵＭＮの項目である「その他」が選択されたと判断したときには、制御部２１０は、図１１に示したように、撮影者情報の内の名前等の情報と使用カメラ情報等の情報を表示する処理を実行し（ステップＳ８１２）、この後、図２３のステップＳ８０４からの処理を繰り返すようにする。
【０２１６】
また、ステップＳ８１１の判断処理において、撮影者情報メニューＵＭＮの項目である「その他」が選択されていないと判断したときには、制御部２１０は、有効な入力操作はなされていないと判断し、図２３のステップＳ８０５からの処理を繰り返し、選択入力等受付からの処理を行うようにする。
【０２１７】
このように、この撮影画像再生処理の第１の変形例の場合には、表示するようにされた撮影画像を撮影した撮影者と、現在、カメラ本体２００を使用している現在の撮影者とが同じ撮影者である場合に、撮影者情報の表示を制限するようにしている。これにより、複数の項目からなる撮影者情報の内、表示する必要の無い情報については、表示を行うことがないようにしている。
【０２１８】
なお、ここでは、表示対象の撮影画像の撮影者と、現在のカメラ本体２００の使用者である現在の撮影者とが同じである場合に、撮影者情報の一覧表示やプロフィール情報の表示を行わないようにした。しかし、これに限るものではない。例えば、撮影者情報の一覧表示を行うようにした場合であっても、プロフィール情報の表示を含まないようにすることもできるし、また、アクセス先の情報についても表示しないようにすることもできる。すなわち、表示対象の撮影画像の撮影者と現在の撮影者とが同じである場合に、種々の態様で撮影者情報の表示内容を制限することが可能である。
【０２１９】
［撮像画像再生処理の第２の他の例］
図２４は、撮影者情報の全部について表示を制限する場合の撮像画像等の再生処理（撮像画像再生処理の第２の他の例）を説明するためのフローチャートである。ここで説明する撮像画像再生処理の第２の他の例の場合にも、図１９に示した処理は同様に行われ、記録再生部２０４に装填されている記録媒体２５０に記憶保持されている撮影画像の中から目的とする撮影画像を選択して表示することができるようにされる。
【０２２０】
そして、図１９に示したステップＳ７１１の判断処理において、ステップＳ７１０において受け付けた指示入力等は、終了指示ではないと判断した場合には、図２４に示す処理に進み、最初は図２０を用いて説明した場合と同様に、制御部２１０は、ステップＳ７１０において受け付けた指示入力が、表示する撮影画像を変えるようにする「前進」あるいは「後退」の指示入力であるか否かを判断する（ステップＳ７１３）。ステップＳ７１３の判断処理において、「前進」あるいは「後退」の指示入力を受け付けたと判断したときには、指示された画像を選択するようにし（ステップＳ７１４）、図１９に示したステップＳ７０８からの処理を行って、新たな撮影画像の表示を行うようにする。
【０２２１】
ステップＳ７１３の判断処理において、「前進」あるいは「後退」の指示入力を受け付けていないと判断したときには、ステップＳ７１０において受け付けた指示入力は、メニュー表示を指示する指示入力か否かを判断する（ステップＳ７１５）。ステップＳ７１５の判断処理において、受け付けた指示入力はメニュー表示の指示入力ではないと判断したときには、受け付けた指示入力に応じた処理を行い（ステップＳ７１６）、この後、図１９のステップＳ７１０からの処理を繰り返すようにする。
【０２２２】
また、ステップＳ７１５の判断処理において、受け付けた指示入力はメニュー表示の指示入力であると判断したときには、制御部２１０は、記録再生部２０４を制御して、現在表示中の撮影画像を形成する画像データの画像ファイルから、撮影者情報の内の識別ＩＤを読み出す（ステップＳ９０１）。
【０２２３】
そして、制御部２１０は、ステップＳ９０１において読み出した、表示されている撮影画像を撮影した撮影者の識別ＩＤと、ＥＥＰＲＯＭ２１４の撮影者設定領域に設定されている現在の撮影者の撮影者情報についての識別ＩＤとを比較して、同じ撮影者か否かを判断する（ステップＳ９０２）。
【０２２４】
ステップＳ９０２の判断処理において、表示されている撮影画像を撮影した撮影者と、現在の撮影者とが同じではないと判断したときには、制御部２１０は、図２０に示したステップＳ７１７からの処理を続行するようにする（ステップＳ９０３）。
【０２２５】
すなわち、ステップＳ９０２の判断処理において、表示されている撮影画像を撮影した撮影者と、現在の撮影者とが同じではないと判断したときには、ステップＳ９０１、ステップＳ９０２の処理が増えただけで、図１９〜図２１に示した撮影画像再生処理と同様の処理を行うようにされる。
【０２２６】
また、ステップＳ９０２の判断処理において、表示されている撮影画像を撮影した撮影者と、現在の撮影者とが同じであると判断したときには、制御部２１０は、撮影者情報を表示するための「撮影者情報」と言う選択項目の無いメニューＭＮを形成して、これを再生処理部２０５を介して表示部２０３に供給することにより、当該メニューＭＮを表示部２０３のＬＣＤの画面に表示する（ステップＳ９０４）。
【０２２７】
そして、制御部２１０は、キー操作部２０６を通じてユーザーからの選択入力等を受け付けるようにし（ステップＳ９０５）、ユーザーからの入力を受け付けたか否かを判断する（ステップＳ９０６）。このステップＳ９０６の判断処理において、ユーザーからの入力を受け付けていないと判断したときには、ステップＳ９０５からの処理を繰り返し、ユーザーからの選択入力等を受け付けるようにする。
【０２２８】
ステップＳ９０６の判断処理において、ユーザーからの選択入力を受け付けたと判断したときには、「戻る」アイコンＢＫが選択されたか否かを判断する（ステップＳ９０７）。ステップＳ９０７の判断処理において、「戻る」アイコンＢＫが選択されたと判断したときには、メニューＭＮを消去し（ステップＳ９０８）、図１９のステップＳ７１０からの処理を繰り返すようにする。
【０２２９】
また、ステップＳ９０７の判断処理において、「戻る」アイコンＢＫが選択されていないと判断したときには、ステップＳ９０５において受け付けた指示入力に応じた処理を実行し（ステップＳ９０９）、この後、ステップＳ９０４からの処理を繰り返すようにする。すなわち、表示している撮影画像の撮影者と、現在、カメラ本体２００を使用している現在の撮影者とが同じである場合には、撮影者情報については何も表示しないようにしている。これにより、撮影者情報を表示する必要性が低い場合においては、撮影者情報を表示しないようにすることができる。
【０２３０】
このように、この撮影画像再生処理の第２の変形例の場合には、表示するようにされた撮影画像の撮影者と、現在の撮影者（カメラ本体の現在の使用者）とが同じである場合に、撮影者情報の多くは、現在の撮影者自身が一番良く把握しているので、撮影者情報の全部を表示しないようにして、無駄な表示を行うことがないようにしている。
【０２３１】
なお、この実施の形態の撮像装置においては、表示するようにされた撮影画像の撮影者と、現在の撮影者（カメラ本体の現在の使用者）とが同じである場合に、撮影者情報の全部を表示するようにする第１の撮影者情報表示モードと、撮影者情報の内の一部を表示しないようにする第２の撮影者情報表示モードと、撮影者情報の全部を表示しないようにする第３の撮影者情報表示モードとを設け、これらをユーザーが選択して用いるようにすることも可能である。
【０２３２】
［再生対象の画像データに付加された撮影者情報と予め登録された複数の撮影者情報の内の１つとが一致する場合の再生処理について］
なお、図２３、図２４を用いて説明した撮影者情報の再生処理の場合、再生対象の画像データに対して付加されている撮影者情報と、ＥＥＰＲＯＭ２１４の実撮影者設定領域に予め選択されて設定される撮影者情報（識別ＩＤと名前等）とが同じ撮影者に対するものである場合に、撮影者情報の再生項目を制限したり、あるいは、撮影者情報自体を再生しないようにしたりした。
【０２３３】
しかし、カメラ本体２００を共用する複数人の使用者については、例えば、家族であったり、同じ職場やグループに属する人であったりすることが多いと考えられる。このため、再生対象の画像データに付加するようにされている撮影者情報が、予めカメラ本体２００のＥＥＰＲＯＭ２１４の撮影者情報格納領域２１４Ｕに格納されている複数の撮影者情報の内の１つと同じ撮影者に対するものである場合には、図２３を用いて説明したように撮影者情報の再生を制限したり、あるいは、図２４を用いて説明したように、撮影者情報を再生しないようにしたりすることも可能である。
【０２３４】
このようにしておくことにより、例えば、外部から提供を受けた画像データについては、それらの画像データに付加するようにされている撮影者情報の全部を再生することができるようにする。ここで外部から供給を受けた画像データは、記録媒体２５０に対して、パーソナルコンピュータを通じて記録した画像データや、後述もするように、インターネットなどのネットワークを通じて目的とするサーバー装置からダウンロードした画像データなどである。しかし、カメラ本体２００において撮影するようにしたが画像データに付加されている撮影者情報については、撮影者情報のうち必要最低限の情報だけを再生するようにしたり、撮影者情報を全く再生しないようにしたりすることが可能である。
【０２３５】
［ＵＲＬを用いた撮影者情報の取得及び表示処理について］
ところで、図３を用いて説明したように、撮影者の名前等の情報、連絡先名称、電話番号、ＦＡＸ番号、ＵＲＬ、電子メールアドレス、プロフィール情報、使用カメラ情報等、撮影者顔写真データなどからなる撮影者情報をカメラ本体２００のＥＥＰＲＯＭ２１４に登録することは面倒な場合もある。特に、連絡先について変更した場合には、既に画像データに対して付加した撮影者情報についても変更しなければならない場合もある。
【０２３６】
そこで、カメラ本体２００のＥＥＰＲＯＭ２１４の撮影者情報格納領域２１４Ｕには、撮影者情報として、識別ＩＤとＵＲＬとだけを登録するようにしておく。そして、ＵＲＬによって特定される所定のサーバー装置の記憶領域に、撮影者の名前等の情報、連絡先名称、電話番号、ＦＡＸ番号、電子メールアドレス、プロフィール情報、使用カメラ情報等、撮影者顔写真データなどの撮影者情報を格納しておく。
【０２３７】
そして、カメラ本体２００のＥＥＰＲＯＭ２１４の撮影者情報格納領域２１４Ｕ登録されているＵＲＬを撮影者情報として、撮影することにより得た画像データに付加するようにした画像ファイルを形成し、これを記録媒体２５０に記録する。そして、当該画像ファイルの画像データに応じた画像を表示するようにした場合に、撮影者情報の表示が指示された場合には、所定のサーバー装置から撮影者情報をダウンロードするようにする。
【０２３８】
つまり、再生対象の画像データに付加するようにされているＵＲＬを用いて、所定のサーバー装置にアクセスし、当該サーバー装置から撮影者情報をダウンロードしてきて、これを表示するようにする。これにより、カメラ本体２００のＥＥＰＲＯＭ２１４の撮影者情報格納領域２１４Ｕに、予め種々の撮影者情報を登録しておかなくても、必要な撮影者情報は、全てサーバー装置からダウンロードすることができるようにされる。
【０２３９】
また、撮影者情報に変更が生じた場合であっても、所定のサーバー装置に用意されている撮影者情報だけを更新しておけば、撮影者情報の変更を迅速に反映させて提供することができる。
【０２４０】
このように、画像データに付加するようにされる撮影者情報としてのＵＲＬを用いて所定のサーバー装置から詳細な撮影者情報を取得して、これを利用できるようにする場合について具体的に考える。この場合、この実施の形態の撮像装置は、携帯電話端末などの通信機器と協働することにより所定のサーバー装置にアクセスして、必要な情報をダウンロードして利用することができるようにしている。
【０２４１】
図２５は、この実施の形態の撮像装置が、携帯電話端末と協働して所定のサーバー装置から撮影者情報を取得して利用する場合について説明するための図である。図２５に示すように、この実施の形態の撮像装置は、交換型レンズ１００とカメラ本体２００とからなっており、カメラ本体２００には、当該カメラ本体２００の通信Ｉ／Ｆ２０７を通じて携帯電話端末３００が接続されている。
【０２４２】
そして、カメラ本体２００は、キー操作部２０６を通じてユーザーからの撮影画像の再生処理を行うことの指示入力を受け付けると、記録再生部２０４に記憶保持されている撮像画像の中から目的とする撮像画像を選択して表示部２０３のＬＣＤの表示画面に表示する。
【０２４３】
この後、撮影者情報を表示することの指示入力を受け付けた場合には、制御部２１０は、自機の通信Ｉ／Ｆ２０７を通じて接続されている携帯電話端末３００と協働し、基地局４０１を含む携帯電話通信網を介して所定のネットワーク（インターネットなど）４００に接続する。
【０２４４】
そして、現在、表示対象となっている撮影画像の画像ファイルに付加するようにされている撮影者情報としてのＵＲＬを当該画像ファイルから読み出し、これを用いてネットワーク４００上の目的とするサーバー装置４０２にアクセスし、当該ＵＲＬによって特定されるデータの格納場所から撮影者情報を取得する。
【０２４５】
なお、取得される撮影者情報は、例えば、図３を用いて説明したように、撮影者の名前等の情報、連絡先名称、電話番号、ＦＡＸ番号、他のＵＲＬ、電子メールアドレス、プロフィール情報、使用カメラ情報等、撮影者顔写真データなどからなるものである。ここで他のＵＲＬは、さらに別のリンク先を示すものであり、例えば、当該撮影者の作品（撮影画像）ライブラリなどにアクセスして、当該撮影者に関する他の情報を取得するなどのこともできるようにされる。
【０２４６】
携帯電話端末３００を介してサーバー装置４０２から取得した撮影者情報は、カメラ本体の通信Ｉ／Ｆ２０７を通じてカメラ本体２００に取り込まれて、例えば、制御部２１０のＥＥＰＲＯＭ２１４に記録され、これを用いて、図８〜図１１を用いて説明したように、ユーザーからの指示に応じた撮影者情報を表示することができるようにされる。
【０２４７】
なお、ここでは、サーバー装置から取得した（ダウンロードした）撮影者情報を、制御部２１０のＥＥＰＲＯＭ２１４に格納するものとして説明したが、これに限るものではない。制御部２１０のＲＡＭ２１３に一時記憶して用いるようにすることもできるし、制御部２１０を通じて記録再生部２０４に装着されている記録媒体２５０の所定の記録領域に例えば画像ファイルに対応付けて記録するようにし、いちいちサーバー装置からダウンロードすることなく、繰り返し利用できるようにすることもできる。
【０２４８】
［図２５に示したシステムにおける画像ファイルの再生処理について］
次に、図２５を用いて説明したように、撮影者情報をサーバー装置からダウンロードするようにするこの例の撮像装置において行われる画像ファイルの再生処理について説明する。この例の撮像装置においても、画像ファイルの再生処理は、基本的には、図１９〜図２１を用いて説明した画像ファイルの再生処理と同様に行われるが、図１９〜図２１を用いて説明した再生処理が、画像ファイルに付加された撮影者情報を表示するのに対して、この例の撮像装置の場合には、撮影者情報としてのＵＲＬを用いてアクセスする所定のサーバー装置から、種々の撮影者情報をダウンロードしてきて表示する点が異なっている。
【０２４９】
すなわち、この例の撮像装置においても、画像ファイルの再生する再生モードになるようにされると、図１９に示す処理を実行して、目的とする撮影画像の選択と表示を行ったあと、図２０に示す処理を実行して、図６を用いて説明した通常のメニューＭＮを表示して、選択入力等を受け付けるようにする。
【０２５０】
そして、表示された通常のメニューＭＮから選択項目である「撮影者情報」が選択された場合には、図２６に示す処理を実行する。図２６は、通常のメニューＭＮから選択項目である「撮影者情報」が選択された場合に実行される処理を説明するためのフローチャートであり、基本的に図２１に示したフローチャートの処理と同様の処理を行うものである。
【０２５１】
しかし、図２６に示す処理は、ステップＳ１００１において実行する撮影者情報取得処理を行う点が、図２１に示したフローチャートの処理とは異なっている。このため、図２６のフローチャートにおいて、図２１に示したフローチャートのステップと同様の処理を行うステップには同じ参照符号を付し、その部分の詳細な説明については省略することとする。
【０２５２】
そして、図２０に示したステップＳ７１８において、通常のメニューＭＮから「撮影者情報」が選択された場合には、ステップＳ７２０、ステップＳ７２２の判断処理を抜けて、図２６に示す処理を実行し、撮影者情報としてのＵＲＬを用いた撮影者情報取得処理を実行する（ステップＳ１００１）。
【０２５３】
この後、図２１を用いて説明したように、ステップＳ７２４からの処理を行って、撮影者情報メニューＵＭＮを表示し、サーバー装置からダウンロードしてきた表示対象の撮影画像の撮影者の撮影者情報（撮影者情報の一覧表示、プロフィール情報、アクセス先情報、使用カメラ情報等のその他の情報）を表示することができるようにされる。
【０２５４】
なお、図２１に示したステップＳ７３０、ステップＳ７３２、ステップＳ７３４、ステップＳ７３６においては、必要な撮影者情報を、記録再生部２０４の記録媒体２５０に記録されている画像ファイルから読み出して利用するようにしているのに対して、図２６に示すステップＳ７３０、ステップＳ７３２、ステップＳ７３４、ステップＳ７３６においては、後述もするように、必要な撮影者情報は、所定のサーバー装置からダウンロードしてきて、カメラ本体２００の所定のメモリ等に格納されているので、これを用いるようにする。
【０２５５】
このように、記録再生部２０４に装填されている記録媒体の画像ファイルに、撮影者情報としてのＵＲＬしか付加されていない場合であっても、当該ＵＲＬに基づいて所定のサーバー装置にアクセスし、目的とする撮影者情報を取得してこれを利用することができるようにしている。
【０２５６】
［撮影者情報取得処理について］
次に、図２６に示したステップＳ１００１において実行される撮影者情報取得処理について説明する。図２７は、この例の撮像装置を構成するカメラ本体２００の制御部２１０において実行される撮影者情報の取得処理を説明するためのフローチャートである。図２７に示すように、撮影者情報の取得処理においては、制御部２１０は、まず、記録再生部２０４を制御し、現在表示対象になっている撮影画像を形成する画像データの画像ファイルから、これに付加するようにされている撮影者情報であるＵＲＬ（撮影者情報ＵＲＬ）を読み出す（ステップＳ１１０１）。
【０２５７】
次に、制御部２１０は、読み出した撮影者情報ＵＲＬと、当該ＵＲＬを用いて所定のサーバー装置にアクセスするようにするコマンド情報とを、自機の通信Ｉ／Ｆ２０７に接続された携帯電話端末３００に送信し、当該携帯電話端末３００と協働して、目的とするサーバー装置にアクセスするようにする（ステップＳ１１０２）。
【０２５８】
そして、制御部２１０は、通信Ｉ／Ｆ２０７を通じて接続された携帯電話端末３００を介して、所定のサーバー装置に撮影者情報の提供を要求し、当該サーバー装置から撮影者情報をダウンロードするようにする（ステップＳ１１０３）。このように、カメラ本体２００の制御部２１０は、携帯電話端末３００を介して目的とする撮影者情報を所定のサーバー装置からダウンロードし、これを例えばＥＥＰＲＯＭ２１４などの所定のメモリに記録して（ステップＳ１１０４）、この図２７に示すＵＲＬを用いて行う撮影者情報の取得処理を終了する。
【０２５９】
これにより、カメラ本体２００は、撮影者情報ＵＲＬを用いて、所定のサーバー装置から目的とする撮影者の撮影者情報を取得し、これを表示するなどして利用することができるようにされる。
【０２６０】
なお、上述したように、撮影者情報ＵＲＬを用いる場合であっても、表示対象の撮影画像の撮影者と、現在の撮影者とが同じである場合には、撮影者情報の一部を表示しないようにしたり、撮影者情報の全部を表示しないようにしたりすることもできる。
【０２６１】
表示対象の撮影画像の撮影者と、現在の撮影者とが同じであるか否かの判断は、カメラ本体２００のＥＥＰＲＯＮ２１４の撮影者情報格納領域２１４Ｕに予め登録される撮影者情報としての撮影者情報ＵＲＬと共に、撮影者を識別可能な情報、例えば、撮影者の名前などを登録しておく。そして、ＥＥＰＲＯＮ２１４の撮影者情報格納領域２１４Ｕに複数の撮影者情報が設定されている場合には、図１７を用いた場合と同様にして、実撮影者情報をＥＥＰＲＯＭ２１４に設定しておく。
【０２６２】
そして、撮影者情報ＵＲＬによりアクセスしたサーバー装置からダウンロードするようにした撮影者情報に含まれる撮影者の名前と、ＥＥＰＲＯＭ２１４に設定されている実撮影者情報の名前とを比較することにより、実撮影者と、ダウンロードしてきた撮影者情報についての撮影者が同じか否かを判断することができる。
【０２６３】
そして、表示対象の撮影画像の撮影者と、実際の撮影者とが同じである場合に、撮影者情報の内の撮影者情報の一覧表示とプロフィール情報の表示とをしないようにする場合には、図２６に示したステップＳ１００１の処理の後に、図２３に示した処理を実行するようにすればよい。
【０２６４】
また、表示対象の撮影画像の撮影者と、実際の撮影者とが同じである場合に、撮影者情報の全部を表示しないようにする場合には、図２４に示す処理を実行し、ステップＳ９０３において、図２０のステップＳ７１７以降の処理を行うようにすると共に、図２０の処理に引き続く処理として、図２１に替えて、図２６に示す処理を行うようにすればよい。
【０２６５】
このように、撮影者情報ＵＲＬを用いる場合であっても、表示対象の撮影画像の撮影者と、実際の撮影者とが同じである場合には、撮影者情報の一部または全部の表示の制限を行うようにすることができる。
【０２６６】
［再生対象の画像データに付加された撮影者情報と予め登録された複数の撮影者情報の内の１つとが一致する場合の再生処理について］
また、この例のように、主な撮影者情報がＵＲＬである場合においても、再生対象の画像データに付加するようにされている撮影者情報が、予めカメラ本体２００のＥＥＰＲＯＭ２１４の撮影者情報格納領域２１４Ｕに格納されている複数の撮影者情報の内の１つと同じ撮影者に対するものである場合には、図２３を用いて説明したように撮影者情報の再生を制限したり、あるいは、図２４を用いて説明したように、撮影者情報を再生しないようにしたりすることも可能である。
【０２６７】
この場合においても再生対象の画像データに付加された撮影者情報と予め登録された複数の撮影者情報の内の１つとが一致するか否かの判断は、上述もしたように、ＥＥＰＲＯＭ２１４に予め登録しておく撮影者情報としてのＵＲＬにも、ダウンロードしてくる撮影者情報に含まれる情報、例えば、撮影者の名前などを付加しておくことにより行うことが可能である。
【０２６８】
［画像ファイルのアップロードについて］
図２５を用いて説明したように、この実施の形態の撮像装置は、携帯電話端末などの通信機器と協働することによって、ネットワーク４００上のサーバー装置４０２にアクセスすることができるものである。したがって、サーバー装置から情報をダウンロードするだけでなく、目的とするサーバー装置にアクセスして、画像ファイルをアップロードし、広く公衆に公開するようにすることもできる。
【０２６９】
サーバー装置への接続態様は、図２５を用いて説明した通りであるので、ここでは、この実施の形態の撮像装置が、自機に接続された携帯電話端末と協働して画像ファイルをアップロードする処理について説明する。図２８は、主に撮像装置を構成するカメラ本体２００の制御部２１０において実行するようにされる画像ファイルのアップロード処理について説明するためのフローチャートである。
【０２７０】
キー操作部２０６を通じて行われるユーザーからの操作入力により、基本メニューを表示することの指示入力を受け付けた場合に、制御部２１０は、基本メニューを形成し、これを再生処理部２０５を通じて表示部２０３に供給し、表示部２０３のＬＣＤの表示画面に基本メニューを表示し、当該基本メニューを構成する選択項目の選択入力を受け付ける。
【０２７１】
そして、制御部２１０は、当該基本メニューの選択項目の中に存在する「画像ファイルのアップロード」と言う項目が選択されると、図２８に示す画像ファイルのアップロード処理を実行する。
【０２７２】
まず、制御部２１０は、例えば、撮像画像の再生処理時と同様に、記録再生部２０４に装着されている記録媒体２５０に記録されている撮像画像についてのサムネイル画像の一覧表示を行うようにし、アップロードする撮像画像の選択入力を受け付ける（ステップＳ１２０１）。ステップＳ１２０１においては、目的とする撮像画像を１つだけ選択することもできるし、複数の撮像画像を選択することもできるし、また、記録媒体２５０に記録されている全ての撮像画像を一括して選択するようにすることもできるようにされる。
【０２７３】
そして、制御部２１０は、例えば、自機のＥＥＰＲＯＭ２１４に予め設定するようにされているアップロード先のサーバー装置のＵＲＬを用いて、自機の通信Ｉ／Ｆ２０７に接続されている携帯電話端末と協働して、画像ファイルをアップロードする目的とするサーバー装置にアクセスする（ステップＳ１２０２）。
【０２７４】
そして、制御部２１０は、記録再生部２０４を制御し、ステップＳ１２０１において選択するようにされた撮像画像を形成する画像データを有する画像ファイルを記録再生部２０４に装着されている記録媒体２５０から読み出し、これをステップＳ１２０２においてアクセスするようにしたサーバー装置に対して送信して（ステップＳ１２０３）、この図２８に示す処理を終了する。
【０２７５】
これにより、この実施の形態の撮像装置は、図４に示したように、ファイル名、ヘッダ情報、撮影者情報、画像データからなる画像ファイルを目的とするサーバー装置にアップロードし、それらを公開することができるようにされる。なお、撮影者情報は、図３を用いて説明したように、種々の情報を有するものである場合もあれば、識別ＩＤとＵＲＬ徒からなるものである場合もある。
【０２７６】
［アップロード先のサーバー装置における処理］
そして、画像ファイルの提供を受けたサーバー装置においては、画像ファイルを種々の通信装置によりアクセス可能な態様に展開して、これを公開するようにする。図２９は、画像ファイルがアップロードされたサーバー装置において実行される画像ファイルの展開処理を説明するためのフローチャートである。
【０２７７】
画像ファイルのアップロードを受け付けるサーバー装置においては、画像ファイルの送信元からのアクセスを受け付けると、図２９に示す処理を実行する。そして、当該サーバー装置においては、送信されてくる画像ファイルを順次に受信して所定の記録媒体に一時記憶する（ステップＳ１３０１）。
【０２７８】
次に、ステップＳ１３０１において所定に記録媒体に記録した画像ファイルを、画像データと、ヘッダ情報や撮影者情報等の付随データとに分離し（ステップＳ１３０２）、ステップＳ１３０２において分離した画像データと付随データとを閲覧可能なように例えば、ＨＴＭＬ（Hypertext Markup Language）やＭＨＥＧ（Multimedia and Hypermedia Experts Group）方式の記述言語、その他の種々の記述言語を用いて、画像データと付随データとを、種々のブラウザを通じて閲覧可能なように展開して、これを閲覧データの格納領域に記憶し（ステップＳ１３０３）、一般公衆によって閲覧可能にする。
【０２７９】
なお、一時記憶した画像ファイルに何らかのＵＲＬが含まれている場合には、当該ＵＲＬによって指定される所定のサーバー装置にアクセスして、種々のレンズ情報の取得が可能なように、ステップＳ１３０３の処理において、ＵＲＬが示すレンズ情報の格納先へ迅速に接続できるように、リンクを張ることができるようにしておくようにされる。したがって、表示されたＵＲＬをクリックするだけで、ユーザーは撮影者情報等が格納されたサーバー装置に自動的にアクセスして、目的とする撮影者情報等の情報を取得し、これを閲覧することもできるようにされる。
【０２８０】
この図２９に示す処理を実行するプログラムを形成し、これを画像ファイルのアップロード先のサーバー装置において実行可能にしておくことにより、撮影画像を形成する画像データのみならず、当該撮影画像を撮影した撮影者の種々の撮影者情報をも簡単に開示することができるようにされる。すなわち、図２９に示した処理を実行するプログラムが、この発明による情報開示プログラムの一実施の形態である。
【０２８１】
なお、ここでは、一般公衆に閲覧可能にするものとして説明したが、これに限るものではない。例えば、当該サーバー装置にアクセス可能なユーザーにはパスワードを予め発行しておき、適正なパスワードを入力して送信してきた相手先にのみ、画像データや付随データを提供し、パスワードの入力の無い相手先には画像データや付随データを提供しないようにすることもできる。すなわち、サーバー装置側において、画像データや付随データの提供先か否かを判別する認証処理を行うようにすることも可能である。
【０２８２】
また、この実施の形態の撮像装置において用いられる撮像方法は、上述した説明からも分かるように、図１３〜図２４に示したフローチャートに対応する方法として実現される。
【０２８３】
なお、上述した実施の形態においては、上述した説明からも明らかなように、撮像手段は、撮像素子部２０１が実現し、信号処理手段は、信号処理部２０２が実現し、撮影者情報受付手段は、キー操作部２０６と制御部２１０とが実現し、撮影者情報記憶手段は、ＥＥＰＲＯＭ２１４が実現し、生成手段は、制御部２１０と記録再生部２０４とが協働することにより実現するようにしている。
【０２８４】
また、記録手段は、記録再生部２０４が実現し、第１の受付手段は、キー操作部２０６と制御部２１０とが実現し、画像読み出し手段は、主に記録再生部２０４が実現し、画像再生手段は、再生処理部２０５と表示部２０３とが実現し、第２の受付手段は、キー操作部２０６と制御部２１０とが実現し、撮影者情報読み出し手段は、主に記録再生部２０４が実現し、撮影者情報再生手段は、再生処理部２０５と表示部２０３とが実現し、撮影者情報再生制御手段は、主に制御部２１０が実現するようにしている。
【０２８５】
また、選択手段は、キー操作部２０６と制御部２１０とが実現し、取得手段は、主に制御部２１０が実現し、ダウンロード手段及びアップロード手段は、制御部２１０と通信Ｉ／Ｆ２０７が実現するようにしている。
【０２８６】
［再生装置を用いた画像ファイルの利用について］
図１に示した構成の上述した実施の形態の撮像装置を用いて被写体の画像を撮影し、記録再生部２０４に装填された記録媒体２５０に記録された画像ファイルについては、再生装置や記録再生装置を用いて利用することも可能である。ここでは、図１〜図２９を用いて説明した実施の形態の撮像装置により記録媒体２５０に記録された画像ファイルを、記録再生装置を用いて利用する場合について説明する。
【０２８７】
図３０は、図１に示した撮像装置により記録媒体２５０に記録された画像ファイルを利用することが可能な記録再生装置５００について説明するためのブロック図である。この例の記録再生装置５００は、図３０に示すように、通信インターフェース（以下、通信Ｉ／Ｆという。）５０１、ハードディスクドライブ（以下、ＨＤＤと略称する。）５０２、表示情報生成部５０３、キー操作部５０６、メモリインターフェース（以下、メモリＩ／Ｆという。）５０７、外部インターフェース（以下、外部Ｉ／Ｆという。）５０８を備えたものである。
【０２８８】
制御部５１０は、この実施の形態の記録再生装置５００の各部を制御するものであり、ＣＰＵ５１１、ＲＯＭ５１２、ＲＡＭ５１３、ＥＥＰＲＯＭ５１４が、ＣＰＵバス５１５を通じて接続されて構成されたマイクロコンピュータである。ここで、ＣＰＵ５１１は、後述するＲＯＭ５１２に記憶保持されているプログラムを読み出して実行し、各部に供給するための制御信号を形成し、これを各部に供給したり、各部から供給されるデータを受け付けてこれを処理したりするなど、この実施の形態の再生装置の制御の主体となるものである。
【０２８９】
ＲＯＭ５１２は、上述したように、ＣＰＵ５１１によって実行される各種のプログラムや処理に必要になる各種のデータなどが予め記憶されたものである。ＲＡＭ５１３は、種々の処理において、その途中結果を一時記憶するなど、主に作業領域として用いられるものである。また、ＥＥＰＲＯＭ５１４は、いわゆる不揮発性メモリであり、再生装置５００の電源が落とされても保持しておくべき情報、例えば、ユーザーが設定するようにした種々のパラメータや機能追加等のために新たに提供されたプログラムなどを記憶保持するものである。
【０２９０】
通信Ｉ／Ｆ５０１は、制御部５１０の制御に応じて、例えばインターネットなどの広域ネットワークを通じて目的とするサーバー装置等にアクセスし、制御部５１０から供給される送信すべきデータから送信用のデータを形成して送信したり、自機宛てに送信されてくるデータを受信して自機において処理可能な形式に変換して制御部５１０に供給したりするなどの処理を行うものである。
【０２９１】
ＨＤＤ５０２は、数百メガバイトから数ギガバイト程度の大容量のハードディスクを内蔵し、制御部５１０の制御に応じて、制御部５１０からのデータをハードディスクに記録したり、ハードディスクに記録されているデータを読み出して制御部５１０に供給したりするものである。
【０２９２】
表示情報生成部５０３は、制御部５１０の制御に応じて、これに供給される種々のデータから表示用のデータを生成し、これを制御部５１０を通じて表示処理部５０４に供給するものである。表示処理部５０４は、これに供給される表示用のデータから表示部５０５に供給する画像信号（映像信号）を形成し、これを表示部５０５に供給するものである。
【０２９３】
表示部５０５は、例えば、ＬＣＤとＬＣＤコントローラとからなるものであり、表示処理部５０４からの画像信号の供給を受けて、これに応じた画像をＬＣＤの表示画面に表示するものである。なお、表示部５０５は、ＬＣＤとＬＣＤコントローラとからなるものとして説明したが、これに限るものではなく、有機ＥＬディスプレイ、ＰＤＰ、ＣＲＴ等の種々の表示素子と、対応するコントローラとからなるものとして構成することも可能である。
【０２９４】
また、表示部５０５は、再生装置５００とは別体のモニタ受像機として構成されたものを用いるようにすることも可能である。すなわち、表示処理部５０４からの画像信号を出力する画像信号の出力端を設け、これにモニタ受像機を接続して利用するようにすることもできる。
【０２９５】
キー操作部５０６は、数字キー、アルファベットキー、上矢印キー、下矢印キー、右矢キー、左矢印キー、種々のファンクションキーなどを備えており、ユーザーからの操作入力を受け付けて、これを電気信号に変換して制御部５１０に供給するものである。これにより、制御部５１０は、ユーザーからの操作入力に応じて各部を制御し、ユーザーの指示に応じた処理を行うことができるようにしている。
【０２９６】
メモリＩ／Ｆ５０７は、メモリカードスロットを備え、これに装着されるメモリカードからデータを読み出して制御部５１０に供給したり、制御部５１０から供給されるデータを当該メモリカードに記録したりするものである。
【０２９７】
また、外部Ｉ／Ｆ５０８は、いわゆるデジタルインターフェースであり、例えば上述した撮像装置などの外部機器を接続し、当該接続した外部機器からのデータを受信して自機において処理可能な形式のデータに変換して制御部５１０に供給したり、制御部５１０からの出力すべきデータから出力用のデータを形成して、これを外部機器に対して出力したりするものである。
【０２９８】
そして、この実施の形態の記録再生装置５００は、上述した撮像装置（交換型レンズ１００とカメラ本体２００とからなるもの）により画像ファイルが記録された外部メモリ２５０をメモリＩ／Ｆ５０７に装着し、これに記録されている画像ファイル内の画像データやレンズ情報を読み出して利用することができるものである。
【０２９９】
上述した第１の実施の形態の撮像装置においては、図４を用いて説明したように、撮像画像を形成する画像データと、撮影者に関する種々の情報からなる撮影者情報を有する画像ファイルを形成して記録媒体２５０に記録することができる。ここで、撮影者情報は、上述もしたように、識別ＩＤ、名前等、連絡先名称、電話番号、ＦＡＸ番号、ＵＲＬ、電子メールアドレス、プロフィール情報、使用カメラ情報等、撮影者顔写真データなどからなるものであある。
【０３００】
以下においては、画像データと、当該画像データにより形成される画像を撮影した撮影者についての識別ＩＤ、名前等、連絡先名称、電話番号、ＦＡＸ番号、ＵＲＬ、電子メールアドレス、プロフィール情報、使用カメラ情報等、撮影者顔写真データといった種々の撮影者情報とを有する画像ファイルを利用する場合と、画像データと、当該画像データにより形成される画像を撮影した撮影者情報の識別ＩＤと撮影者情報についてのＵＲＬ（撮影者情報ＵＲＬ）とを有する画像ファイルを利用する場合とに分けて、図３０に示した構成を有する記録再生装置５００における画像ファイルの再生処理について説明する。
【０３０１】
［識別ＩＤ、名前等、連絡先名称、電話番号等の種々の撮影者情報が付加された画像ファイルを利用する場合］
図３１は、図４を用いて説明したように、画像データと、当該画像データが形成する撮影画像を撮影した撮影者の種々の情報からなる撮影者情報とを含む画像ファイルが記録されている記録媒体２５０から、当該画像データを読み出して利用する場合について説明するための図である。
【０３０２】
図３１に示すように、画像データと種々の撮影者情報を有する画像ファイル（図４に示した画像ファイル）が記録された記録媒体２５０が、メモリＩ／Ｆ５０７を通じて図３０に示した記録再生装置５００に装着するようにされる。
【０３０３】
そして、キー操作部５０６を通じて撮影画像の再生が指示するようにされた場合には、記録再生装置５００の制御部５１０がメモリＩ／Ｆ５０７を制御して目的とする画像ファイルから画像データを読み出し、これを表示情報生成部５０３に供給する。表示情報生成部５０３は、供給された画像データを圧縮解凍し、圧縮解凍した画像データから表示処理部５０４に供給する形式の画像データ（ＹＣデータ）を生成して、これを表示処理部５０４に供給する。
【０３０４】
表示処理部５０４は、表示情報生成部５０３からの画像データから表示部５０５に供給する画像信号を形成し、これを表示部５０５に供給する。表示部５０５においては、表示処理部５０４からの画像信号を、ＬＣＤコントローラを通じてＬＣＤに供給し、当該ＬＣＤの表示画面に撮影画像を表示することができるようにされる。
【０３０５】
このように、この実施の形態の記録再生装置５００において、制御部５１０、表示情報生成部５０３、表示処理部５０４が、撮影画像等の情報の再生処理を行う再生処理部を形成し、この再生処理部によって処理された情報が、表示部５０５に供給されて表示するようにされる。
【０３０６】
そして、この記録再生装置５００の場合にも、図６に示したように、「画質調整」、「削除」、「撮影者情報」などの項目を選択項目として有する通常のメニューＭＮを表示し、「撮影者情報」が選択されたときには、図７に示したように「一覧表示」、「プロフィール」、「アクセス先」、「その他」などの項目を選択項目とする撮影者情報メニューＵＭＮを表示して、図８〜図１１に示したような、撮影者情報の一覧表示（図８）、プロフィール情報の表示（図９）、アクセス先の表示（図１０）、使用カメラ情報等のその他の情報の表示（図１１）を表示することもできるようにしている。
【０３０７】
具体的には、メニューＭＮや撮影者情報メニューＵＭＮは、制御部５１０の制御に応じて、表示情報生成部５０３が生成し、制御部５１０、表示処理部５０４を通じて表示部５０５に供給することにより、表示部５０５のＬＣＤの表示画面に表示することができる。すなわち、図３１における再生処理部で形成したメニューＭＮや撮影者情報メニューＵＭＮを表示部５０５に供給することによって、メニューＭＮや撮影者情報メニューＵＭＮを表示することができる。
【０３０８】
また、撮影者情報の一覧表示（図８）、プロフィール情報の表示（図９）、アクセス先の表示（図１０）、使用カメラ情報等のその他の情報の表示（図１１）は、制御部５１０が、表示対象の撮像画像を形成する画像データが格納されていた画像ファイルから読み出して、これを表示情報生成部５０３と表示処理部５０４とを介して表示部５０５に供給することによって、表示した撮影画像を撮影した撮影者に対する撮影者情報である撮影者情報の一覧表示、プロフィール情報の表示、アクセス先の表示、使用カメラ情報等のその他の情報の表示をも表示部５０５のＬＣＤの表示画面に表示することができる。
【０３０９】
このように、この実施の形態の記録再生装置５００のメモリＩ／Ｆ５０７に、図４を用いて説明した構成の画像ファイルが記録された記録媒体２５０が装着された場合には、記録媒体２５０に記録されている画像ファイル内の画像データと、これに付随する撮影者情報とを表示して利用することができる。
【０３１０】
したがって、図３０に示した構成の記録再生装置５００においても、図１９〜図２１を用いて説明した撮影画像再生処理が実行され、図２１に示したステップＳ７３０、ステップＳ７３２、ステップＳ７３４、ステップＳ７３６の各処理においては、上述した撮像装置の場合と同様にして、撮影者情報の一覧表示、プロフィール情報の表示、アクセス先の表示、使用カメラ情報等のその他の情報の表示が行われることになる。
【０３１１】
［撮影者情報としてのＵＲＬが付加するようにされた画像ファイルを利用する場合］
図３２は、画像ファイルに、画像データと、撮影者情報として撮影者情報ＵＲＬとを含む画像ファイルが記録されている記録媒体２５０から、当該画像データを読み出して利用する場合について説明するための図である。
【０３１２】
図３２に示すように、画像データと撮影者情報ＵＲＬを有する画像ファイルが記録された記録媒体２５０が、メモリＩ／Ｆ５０７を通じて図３０に示した記録再生装置５００に装着される。
【０３１３】
そして、キー操作部５０６を通じて撮影画像の再生が指示するようにされた場合には、記録再生装置５００の制御部５１０がメモリＩ／Ｆ５０７を制御して目的とする画像ファイルから画像データを読み出し、これを表示情報生成部５０３に供給する。表示情報生成部５０３は、供給された画像データを圧縮解凍し、圧縮解凍した画像データから表示処理部５０４に供給する形式の画像データ（ＹＣデータ）を生成して、これを表示処理部５０４に供給する。
【０３１４】
表示処理部５０４は、表示情報生成部５０３からの画像データから表示部５０５に供給する画像信号を形成し、これを表示部５０５に供給する。表示部５０５においては、表示処理部５０４からの画像信号を、ＬＣＤコントローラを通じてＬＣＤに供給し、当該ＬＣＤの表示画面に撮影画像を表示することができるようにされる。
【０３１５】
このように、この実施の形態の記録再生装置５００において、制御部５１０、表示情報生成部５０３、表示処理部５０４が、撮影画像等の情報の再生処理を行う再生処理部を形成し、この再生処理部によって処理された情報が、表示部５０５に供給されて表示するようにされる。
【０３１６】
そして、この記録再生装置５００の場合にも、図６に示したように、「画質調整」、「削除」、「撮影者情報」などの項目を選択項目として有する通常のメニューＭＮを表示し、「撮影者情報」が選択されたときには、図７に示したように「一覧表示」、「プロフィール」、「アクセス先」、「その他」などの項目を選択項目とする撮影者情報メニューＵＭＮを表示して、図８〜図１１に示したような、撮影者情報の一覧表示（図８）、プロフィール情報の表示（図９）、アクセス先の表示（図１０）、使用カメラ情報等のその他の情報の表示（図１１）を表示することもできるようにしている。
【０３１７】
具体的には、メニューＭＮや撮影者情報メニューＵＭＮは、制御部５１０の制御に応じて、表示情報生成部５０３が生成し、制御部５１０、表示処理部５０４を通じて表示部５０５に供給することにより、表示部５０５のＬＣＤの表示画面に表示することができる。すなわち、図３２における再生処理部で形成したメニューＭＮや撮影者情報メニューＵＭＮを表示部５０５に供給することによって、メニューＭＮや撮影者情報メニューＵＭＮを表示することができる。
【０３１８】
そして、画像ファイルに撮影者の名前等、連絡先名称、電話番号、ＦＡＸ番号、ＵＲＬ、電子メールアドレス、プロフィール情報、使用カメラ情報等、撮影者顔写真データ等の撮影者情報が存在せず、撮影者情報ＵＲＬが存在する場合には、撮影者情報メニューＵＭＮを表示する前に、撮影者情報ＵＲＬを用いて、所定のサーバー装置４０２にアクセスする。
【０３１９】
そして、当該撮影者情報ＵＲＬに応じて、撮影者の名前等、連絡先名称、電話番号、ＦＡＸ番号、ＵＲＬ、電子メールアドレス、プロフィール情報、使用カメラ情報等、撮影者顔写真データ等の撮影者情報をダウンロードしてきて取得し、制御部５１０のＥＥＰＲＯＭ５１４等に記憶保持して、ダウンロードしてきた種々の撮影者情報をすぐに利用できる状態にした後に、撮影者情報メニューＵＭＮを表示する。
【０３２０】
このようにすることにより、撮影者情報の一覧表示、プロフィール情報の表示、アクセス先の表示、使用カメラ情報等のその他の情報の表示については、制御部５１０が、ＥＥＰＲＯＭ５１４から読み出して、これを表示情報生成部５０３と表示処理部５０４とを介して表示部５０５に供給することによって、表示した撮影画像を撮影した撮影者の種々の撮影者情報をも表示部５０５のＬＣＤの表示画面に表示することができる。
【０３２１】
このように、この記録再生装置５００のメモリＩ／Ｆ５０７に、撮影者情報ＵＲＬを有する画像ファイルが記録された記録媒体２５０が装着された場合には、記録媒体２５０に記録されている画像ファイル内の画像データを再生することができる。また、当該画像データによって形成される撮像画像の撮影者の撮影者情報は、当該画像ファイルに存在する撮影者情報ＵＲＬを用いて所定のサーバー装置４０２にアクセスして、当該サーバー装置４０２からダウンロードしてきて表示することができるようにされる。
【０３２２】
したがって、図３０に示した構成の記録再生装置５００においても、図１９、図２０、図２６を用いて説明した撮影画像再生処理が実行され、図２６に示したステップＳ７３０、ステップＳ７３２、ステップＳ７３４、ステップＳ７３６の各処理においては、上述した撮像装置の場合と同様にして、撮影者情報の一覧表示、プロフィール情報の表示、アクセス先の表示、使用カメラ情報等のその他の情報の表示が行われることになる。この場合、撮影者情報は、ダウンロードしてきて、ＥＥＰＲＯＭ５１４に記憶保持されているものを用いることになる。
【０３２３】
図３１、図３２を用いて説明したように、この記録再生装置５００においても、図１に示した撮像装置の場合と同様に、記録媒体２５０に記録されている画像ファイルの画像データや撮影者情報を再生したり、撮影者情報を所定のサーバー装置からダウンロードしてきて再生したりすることができるものである。
【０３２４】
なお、ここでは、メモリＩ／Ｆ５０７に装着された記録媒体２５０に記録されている画像ファイルの情報を再生する場合について説明したが、これに限るものではない。例えば、外部Ｉ／Ｆ５０８に撮像装置を接続するようにし、撮像装置の記録再生部２０４に装着されている記録媒体２５０から画像データ、撮影者情報、撮影者情報ＵＲＬを読み出してきて、この記録再生装置５００において利用するようにすることもできる。
【０３２５】
また、メモリＩ／Ｆ５０７に装着された記録媒体から、制御部５１０がメモリＩ／Ｆ５０７を通じて画像ファイルを読み出して、ＨＤＤ５０２に記録し、このＨＤＤ５０２に記録した画像ファイルを用いるようにすることもできる。同様に、外部Ｉ／Ｆ５０８に接続された撮像装置などの外部機器から画像ファイルを取得し、これをＨＤＤ５０２に記録して、この画像ファイルを利用するようにすることもできる。
【０３２６】
また、記録再生装置５００に対して、キー操作部５０６を通じて、画像の再生を行う再生者（撮像装置における撮影者に相当）に関する情報（再生者情報）を入力しておくようにする。これにより、この再生者情報と、再生対象の撮影者情報とが同じ撮影者に対するものである場合には、上述した撮像装置の場合と同様に再生対象の撮影者情報の再生を制限したり、再生しないようにしたりすることもできる。なお、ここで再生対象の撮影者情報は、再生対象の画像データに付加されている撮影者情報や、ダウンロードするようにした撮影者情報を意味するものである。
【０３２７】
したがって、この記録再生装置５００においても、図１９〜図２１に示した処理だけでなく、図２３、図２４に示した処理をも実行することが可能である。また、上述した交換型レンズ１００とカメラ本体２００とからなる撮像装置において実行するようにされた種々の処理のうち、この記録再生装置５００において実行する必要のある処理は、この記録再生装置５００においても実行可能である。例えば、再生者情報の入力処理や選択設定処理などは、撮影者情報の入力処理や選択設定処理と同様に行うことが可能である。
【０３２８】
［画像データのアップロードについて］
また、この記録再生装置５００は、上述もしたように通信Ｉ／Ｆ５０１を備えており、メモリＩ／Ｆ５０７に装着された記録媒体２５０に記録されている画像ファイルや、外部Ｉ／Ｆ５０８に装着された撮像装置などの外部機器から取得する画像ファイル、あるいは、ＨＤＤ５０２のハードディスクに記録されている画像ファイルなどを、通信Ｉ／Ｆ５０１を通じて送出し、目的とするサーバー装置にアップロードすることもできる。
【０３２９】
図３３は、この記録再生装置５００が、画像ファイルをアップロードする場合について説明するための図である。図３３に示すように、画像データと種々の撮影者情報を有する画像ファイル（図４に示した画像ファイル）が記録された記録媒体２５０が、メモリＩ／Ｆ５０７を通じて図３１に示した記録再生装置５００に装着される。
【０３３０】
キー操作部５０６を通じて、画像ファイルをアップロードすることの指示入力を受け付けると、制御部５１０は、キー操作部５０６を通じてアップロードする画像データの選択入力を受け付けるようにする。そして、制御部５１０は、ＥＥＰＲＯＭ５１４に予め保持している画像データのアップロード先のサーバー装置４０３のＵＲＬを用い、通信Ｉ／Ｆ５０１とインターネット等のネットワーク４００を通じて当該アップロード先のサーバー装置４０２にアクセスする。
【０３３１】
この後、制御部５１０は、選択された画像データを有する画像ファイルをメモリＩ／Ｆ５０７を通じて記録媒体２５０から読み出し、これを通信Ｉ／Ｆ５０１を通じて、アクセスしているアップロード先のサーバー装置４０３に対して送信する。これにより、ユーザーにより選択された画像ファイルを目的とするアップロード先のサーバー装置４０３にアップロードすることができる。
【０３３２】
すなわち、この記録再生装置５００においても、図２８を用いて説明した画像ファイルのアップロード処理を実行し、自機に装着された記録媒体２５０に保持されている画像ファイルを、目的とするサーバー装置にアップロードし、一般公衆に開示することができる。
【０３３３】
また、この場合、アップロード先のサーバー装置４０３においては、図２９を用いて説明した画像ファイルの展開処理を行うことによって、一般公衆がブラウザを用いて閲覧することができるようにされる。
【０３３４】
［画像ファイルのダウンロードについて］
また、この記録再生装置５００は、所定のサーバー装置４０３にアップロードされている画像データをダウンロードしてきてこれを利用することもできる。図３４は、記録再生装置５００が、画像ファイルをダウンロードしてきて利用する場合について説明するための図である。
【０３３５】
すなわち、記録再生装置５００は、通信Ｉ／Ｆ５０１を備えている。このため、キー操作部５０６を通じて所定のサーバー装置にアクセスすることに指示入力を受け付けると、制御部５１０は、受け付けた指示入力に応じて、通信Ｉ／Ｆ５０１を制御し、ネットワーク４００を通じて目的とするサーバー装置４０３にアクセスし、ダウンロード可能な画像ファイルの画像データに応じたサムネイル画像の一覧表示情報の提供を受け、これを表示処理部５０４を通じて表示部５０５に供給することにより、サムネイル画像の一覧表示を表示部５０５のＬＣＤの表示画面に表示する。
【０３３６】
そして、キー操作部５０６を通じて、ダウンロードする画像の選択入力を受け付け、選択された画像の画像ファイルの提供要求を形成して、これをアクセスしているサーバー装置４０３に送信する。これにより、当該サーバー装置４０３から、提供を要求した画像ファイルが送信されてくるので、記録再生装置５００は通信Ｉ／Ｆを通じてこれを受信し、ＨＤＤ５０２などの所定の記録媒体に格納して、これを利用することができるようにされる。
【０３３７】
また、画像ファイル内に撮影者情報ＵＲＬを格納しておくことにより、少ないデータ量で撮影者に関連した多くの撮影者情報を取得したり、目的とする情報へのアクセスを容易にしたりすることができる。したがって、撮影者情報の内容に追加や変更が生じた場合であっても、これに容易に対応することができる。
【０３３８】
また、撮影者情報が格納された画像ファイルをサーバー装置にアップロードすることができ、しかも、画像データと撮影者情報等の付随情報との分離や、閲覧可能な状態にすることなどをサーバー装置側で行うことができるので、画像ファイルのみのアップロードで容易にレンズ情報等の付随データを含めたウェブページを作成することができるようにされる。
【０３３９】
また、上述した実施の形態の説明からも分かるように、この発明による情報開示プログラムは、図２９に対応するプログラムとして実現される。
【０３４０】
なお、この発明による撮像装置、撮像方法は、種々のデジタルカメラに適用することが可能であり、静止画を撮影するデジタルスチルカメラの他に、動画を撮影するデジタルビデオカメラにも適用することが可能である。
【０３４１】
また、この発明による再生方法は、画像ファイルの利用が可能な画像再生装置、画像記録再生装置、パーソナルコンピュータなどの情報処理装置など、画像ファイルの処理が可能な情報処理装置に適用可能である。
【０３４２】
［レンズ情報の利用について］
さらに、種々の撮影者情報に加えて、交換型レンズ１００のレンズ情報メモリ１０１に記憶保持されているレンズ情報を、カメラ本体２００の制御部２１０が読み出すようにし、これを撮影することにより得た画像データに対して付加するようにしてもよい。
【０３４３】
図３５は、交換型レンズ１００のレンズ情報メモリ１０１に記憶保持されるレンズ情報の一例について説明するための図である。図３５に示すように、レンズ情報メモリ１０１には、レンズ情報として、レンズ識別情報、レンズ制御関連情報、レンズ特徴情報（レンズ詳細情報）、レンズ外観図、レンズ構成図、その他の情報からなっている。
【０３４４】
レンズ識別情報は、当該交換型レンズを識別するための情報であり、例えば、図３５にも示すように、製造番号、型番、品名、製造開始日（生産開始時期）、販売開始日（販売開始時期）などの情報からなるものである。この他、ブランド名や製造工場記号など、当該交換型レンズを識別するための種々の情報を含めるようにすることも可能である。なお、製造開始日は、２００７年４月や、２００７年上期などのように、生産開始時期として表すようにされる場合もある。販売開始日も同様に、販売開始時期として表すようにされる場合もある。
【０３４５】
レンズ制御関連情報は、例えば、カメラ本体２００と協働して、露出（露光）を調整したり、フォーカス（焦点）を調整したりするなどのために必要になる種々の制御関連情報が含まれるものである。
【０３４６】
レンズ特徴情報（レンズ詳細情報）は、図３５にも示すように、ズームレンズか、単焦点レンズか、広角レンズかなどのレンズの種類を示す情報、当該交換型レンズの使い方に関する情報、撮影上の注意点などの当該交換型レンズに関する詳細情報からなるものである。このレンズ特徴情報は、主にテキストデータからなるものである。
【０３４７】
レンズ外観図は、当該交換型レンズの外観を示す図である。このレンズ外観図があることにより、当該交換型レンズそのものがない場合であっても、当該交換レンズの外部構成を表示素子に表示して確認することができるようにされる。したがって、このレンズ外観図は、当該交換型レンズのユーザーよりも、当該交換型レンズを用いて撮影された画像データの利用者にとって有効な情報である。
【０３４８】
レンズ構成図は、当該交換型レンズが、いくつのレンズ群から構成され、何枚のレンズを用いたものであるのかを視覚を通じて認識できるようにするものである。このように、レンズ構成図は、レンズ構成の観点から当該交換型レンズの特徴などを把握し、理解する上で重要な情報である。
【０３４９】
また、その他の情報として、例えば、メンテナンス上の注意点、代替部品情報など、当該交換型レンズに関する種々の情報が把握することができるようにされる。
【０３５０】
このように、交換型レンズ１００のレンズ情報メモリ１０１には、種々のレンズ情報が記憶保持されており、カメラ本体２００の制御部２１０は、自機に装着された交換型レンズ１００のレンズ情報メモリ１０１にアクセスして、レンズ情報を取得し、画像の撮影時において、記録媒体２５０に記録する画像データに対して、レンズ情報を付加することができる。
【０３５１】
そして、レンズ情報をも撮影することにより得た画像データに対して付加するようにしておくことにより、撮影者情報だけでなく、種々のレンズ情報についても表示できるようにし、撮影に用いた交換型レンズについての種々の情報を閲覧者に提供することができるようにされる。
【０３５２】
なお、この場合において、レンズ情報読み出し手段は、主に記録再生部２０４が実現し、レンズ情報再生手段は、再生処理部２０５と表示部２０３とが実現することになる。
【０３５３】
なお、上述した実施の形態において、画像データに付加するようにされた撮影者情報と、ＥＥＰＲＯＭの実撮影者設定領域に設定された撮影者情報とが同じ撮影者情報に対するものか否かは、撮影者情報の識別ＩＤに基づいて行うものとして説明した。また、撮影者情報としてのＵＲＬを用いてダウンロードするようにした撮影者情報と、ＥＥＰＲＯＭの実撮影者設定領域に設定された撮影者情報とが同じ撮影者情報に対するものか否かは、撮影者情報の名前に基づいて行うものとして説明した。しかしこれに限るものではない。
【０３５４】
画像データに付加するようにされた撮影者情報と、ＥＥＰＲＯＭの実撮影者設定領域に設定された撮影者情報とが同じ撮影者に対するものか否か、また、撮影者情報としてのＵＲＬを用いてダウンロードするようにした撮影者情報と、ＥＥＰＲＯＭの実撮影者設定領域に設定された撮影者情報とが同じ撮影者に対するものか否かの判断は、両撮影者情報について共通に用いられる他の情報を用いるようにしてもよい。
【０３５５】
例えば、電話番号、Ｅメールアドレスなどを用いるようにしてもよい。しかし、異なる撮影者が同じ電話番号やＥメールアドレスを用いる可能性もある。そこで、同じ撮影者についての、画像データに付加するようにされた撮影者情報と、ＥＥＰＲＯＭの実撮影者設定領域に設定された撮影者情報とに対しては、あるいは、撮影者情報としてのＵＲＬを用いてダウンロードするようにした撮影者情報と、ＥＥＰＲＯＭの実撮影者設定領域に設定された撮影者情報とに対しては、共通の識別ＩＤを付すようにすることにより、両撮影者情報が同じ撮影者に対するものか否かを確実に判別することができる。
【図面の簡単な説明】
【０３５６】
【図１】この発明による撮像装置、再生方法の一実施の形態が適用された撮像装置について説明するためのブロック図である。
【図２】図１に示した撮像装置の機能について説明するためのブロック図である。
【図３】登録される撮影者情報の具体例を説明するための図である。
【図４】記録される画像ファイルの具体例を説明するための図である。
【図５】画像ファイルの情報の再生態様の具体例を説明するための図である。
【図６】画像ファイルの情報の再生態様の具体例を説明するための図である。
【図７】画像ファイルの情報の再生態様の具体例を説明するための図である。
【図８】画像ファイルの情報の再生態様の具体例を説明するための図である。
【図９】画像ファイルの情報の再生態様の具体例を説明するための図である。
【図１０】画像ファイルの情報の再生態様の具体例を説明するための図である。
【図１１】画像ファイルの情報の再生態様の具体例を説明するための図である。
【図１２】撮影者情報メンテナンス画面の一例を説明するための図である。
【図１３】撮影者情報のメンテナンス処理について説明するためのフローチャートである。
【図１４】撮影者情報の追加処理を説明するためのフローチャートである。
【図１５】撮影者情報の変更処理を説明するためのフローチャートである。
【図１６】撮影者情報の削除処理を説明するためのフローチャートである。
【図１７】撮影者情報選択設定処理を説明するためのフローチャートである。
【図１８】撮影処理を説明するためのフローチャートである。
【図１９】画像ファイルの再生処理（撮像画像等の再生処理）を説明するためのフローチャートである。
【図２０】図１９に続くフローチャートである。
【図２１】図２０に続くフローチャートである。
【図２２】撮影者情報の一覧表示の表示処理について説明するためのフローチャートである。
【図２３】撮影者情報の表示を制限する場合の撮像画像等の再生処理（撮像画像再生処理の第１の他の例）を説明するためのフローチャートである。
【図２４】撮影者情報の全部について表示を制限する場合の撮像画像等の再生処理（撮像画像再生処理の第２の他の例）を説明するためのフローチャートである。
【図２５】携帯電話端末と協働して所定のサーバー装置から撮影者情報を取得して利用する場合について説明するための図である。
【図２６】通常のメニューＭＮから選択項目である「撮影者情報」が選択された場合に実行される処理を説明するためのフローチャートである。
【図２７】撮影者情報の取得処理を説明するためのフローチャートである。
【図２８】画像ファイルのアップロード処理について説明するためのフローチャートである。
【図２９】サーバー装置において実行される画像ファイルの展開処理を説明するためのフローチャートである。
【図３０】画像ファイルを利用することが可能な記録再生装置５００について説明するためのブロック図である。
【図３１】記録再生装置５００において、画像データを読み出して利用する場合について説明するための図である。
【図３２】記録再生装置５００において、画像データを読み出して利用する場合について説明するための図である。
【図３３】画像ファイルをアップロードする場合について説明するための図である。
【図３４】画像ファイルをダウンロードしてきて利用する場合について説明するための図である。
【図３５】交換型レンズ１００のレンズ情報メモリ１０１に記憶保持されるレンズ情報の一例について説明するための図である。
【符号の説明】
【０３５７】
１００…交換型レンズ、１０１…レンズ情報メモリ、２００…カメラ本体、２０１…撮像素子部、２０２…信号処理部、２０３…表示部、２０４…記録再生部、２０５…再生処理部、２０６…キー操作部、２０７…通信Ｉ／Ｆ、２１０…制御部、２１１…ＣＰＵ、２１２…ＲＯＭ、２１３…ＲＡＭ、２１４…ＥＥＰＲＯＭ、２１５…ＣＰＵバス、２５０…記録媒体、３００…携帯電話端末、４００…ネットワーク、４０１…基地局、４０２、４０３…サーバー装置、５００…記録再生装置、５０１…通信Ｉ／Ｆ、５０２…ＨＤＤ、５０３…表示情報生成部、５０６…キー操作部、５０７…メモリＩ／Ｆ、５０８…外部Ｉ／Ｆ
【図１】
2009231888.tif 000003
【図２】
2009231888.tif 000004
【図３】
2009231888.tif 000005
【図４】
2009231888.tif 000006
【図５】
2009231888.tif 000007
【図６】
2009231888.tif 000008
【図７】
2009231888.tif 000009
【図８】
2009231888.tif 000010
【図９】
2009231888.tif 000011
【図１０】
2009231888.tif 000012
【図１１】
2009231888.tif 000013
【図１２】
2009231888.tif 000014
【図１３】
2009231888.tif 000015
【図１４】
2009231888.tif 000016
【図１５】
2009231888.tif 000017
【図１６】
2009231888.tif 000018
【図１７】
2009231888.tif 000019
【図１８】
2009231888.tif 000020
【図１９】
2009231888.tif 000021
【図２０】
2009231888.tif 000022
【図２１】
2009231888.tif 000023
【図２２】
2009231888.tif 000024
【図２３】
2009231888.tif 000025
【図２４】
2009231888.tif 000026
【図２５】
2009231888.tif 000027
【図２６】
2009231888.tif 000028
【図２７】
2009231888.tif 000029
【図２８】
2009231888.tif 000030
【図２９】
2009231888.tif 000031
【図３０】
2009231888.tif 000032
【図３１】
2009231888.tif 000033
【図３２】
2009231888.tif 000034
【図３３】
2009231888.tif 000035
【図３４】
2009231888.tif 000036
【図３５】
2009231888.tif 000037